(57)【特許請求の範囲】
【請求項１】
電気機器を制御するエリアコントローラと、
前記エリアコントローラと無線通信して電気機器を制御するリモートコントローラと
を有する機器制御システムであり、
前記リモートコントローラは、
通信機器を用いて無線通信を行うリモコン通信部と、
無線通信に使用されるチャンネルと識別符号との複数の組み合わせのうちの１つの組み合わせを用いて探索信号を前記リモコン通信部に送信させ、前記リモコン通信部が前記エリアコントローラからの応答信号を受信できた場合に前記リモコン通信部に探索信号の送信に使用させたチャンネルと識別符号とを前記エリアコントローラが無線通信に使用しているチャンネルと識別符号として記憶機器に設定し、前記リモコン通信部が前記エリアコントローラからの応答信号を受信できなかった場合にチャンネルと識別符号との新たな組み合わせで前記リモコン通信部に探索信号を送信させるリモコン無線設定部と
を備えることを特徴とする機器制御システム。
【請求項２】
電気機器を制御するエリアコントローラと、
前記エリアコントローラと無線通信して電気機器を制御するリモートコントローラと
を有する機器制御システムであり、
前記リモートコントローラは、
通信機器を用いて無線通信を行うリモコン通信部と、
前記エリアコントローラが無線通信に使用しているチャンネルと識別符号とを用いて探索信号を前記リモコン通信部に送信させ、前記リモコン通信部が前記エリアコントローラから受信した応答信号の信号レベルを表示機器を用いて表示するリモコン無線レベル計測部と
を備えることを特徴とする機器制御システム。
【請求項３】
電気機器を制御するエリアコントローラと、
前記エリアコントローラと無線通信して電気機器を制御するリモートコントローラと
を有する機器制御システムであり、
前記リモートコントローラは、
通信機器を用いて無線通信を行うリモコン通信部と、
前記エリアコントローラが無線通信に使用しているチャンネルと識別符号とを用いて探索信号を前記リモコン通信部に送信させ、前記リモコン通信部が前記エリアコントローラから受信した応答信号の信号レベルに基づいて前記エリアコントローラとの無線通信が可能な延長可能距離を前記リモートコントローラの位置を基準に算出し、算出した延長可能距離を表示機器を用いて表示するリモコン無線距離計測部と
を備えることを特徴とする機器制御システム。
【請求項４】
電気機器を無線通信により制御するエリアコントローラと、
無線通信を行うアンテナアダプタと、
前記アンテナアダプタを介して前記エリアコントローラと通信するパーソナルコンピュータと
を有する機器制御システムであり、
前記パーソナルコンピュータは、
無線通信に使用されるチャンネルと識別符号との複数の組み合わせのうちの１つの組み合わせを用いて探索信号を前記アンテナアダプタに送信させ、前記アンテナアダプタが前記エリアコントローラからの応答信号を受信できた場合に前記アンテナアダプタに探索信号の送信に使用させたチャンネルと識別符号とを前記エリアコントローラが無線通信に使用しているチャンネルと識別符号として表示機器を用いて表示し、前記アンテナアダプタが前記エリアコントローラからの応答信号を受信できなかった場合にチャンネルと識別符号との新たな組み合わせで前記アンテナアダプタに探索信号を送信させるパソコン無線設定部を備える
ことを特徴とする機器制御システム。
【請求項５】
電気機器を無線通信により制御するエリアコントローラと、
無線通信を行うアンテナアダプタと、
前記アンテナアダプタを介して前記エリアコントローラと通信するパーソナルコンピュータと
を有する機器制御システムであり、
前記パーソナルコンピュータは、
前記エリアコントローラが無線通信に使用しているチャンネルと識別符号とを用いて探索信号を前記アンテナアダプタに送信させ、前記アンテナアダプタが前記エリアコントローラから受信した応答信号の信号レベルを表示機器を用いて表示するパソコン無線レベル計測部を備える
ことを特徴とする機器制御システム。
【請求項６】
電気機器を無線通信により制御するエリアコントローラと、
無線通信を行うアンテナアダプタと、
前記アンテナアダプタを介して前記エリアコントローラと通信するパーソナルコンピュータと
を有する機器制御システムであり、
前記パーソナルコンピュータは、
前記エリアコントローラが無線通信に使用しているチャンネルと識別符号とを用いて探索信号を前記アンテナアダプタに送信させ、前記アンテナアダプタが前記エリアコントローラから受信した応答信号の信号レベルに基づいて前記エリアコントローラとの無線通信が可能な延長可能距離を前記アンテナアダプタの位置を基準に算出し、算出した延長可能距離を表示機器を用いて表示するパソコン無線距離計測部を備える
ことを特徴とする機器制御システム。
【請求項７】
電気機器と通信する通信ユニットと、
前記通信ユニットと無線通信して前記通信ユニットを介して電気機器を制御するエリアコントローラと
を有する機器制御システムであり、
前記通信ユニットは、
通信機器を用いて無線通信を行うユニット通信部と、
無線通信に使用されるチャンネルと識別符号との複数の組み合わせのうちの１つの組み合わせを用いて探索信号を前記ユニット通信部に送信させ、前記ユニット通信部が前記エリアコントローラからの応答信号を受信できた場合に前記ユニット通信部に探索信号の送信に使用させたチャンネルと識別符号とを前記エリアコントローラが無線通信に使用しているチャンネルと識別符号として記憶機器に設定し、前記ユニット通信部が前記エリアコントローラからの応答信号を受信できなかった場合にチャンネルと識別符号との新たな組み合わせで前記ユニット通信部に探索信号を送信させるユニット無線設定部と
を備えることを特徴とする機器制御システム。
【請求項８】
電気機器と通信する通信ユニットと、
前記通信ユニットと無線通信して前記通信ユニットを介して電気機器を制御するエリアコントローラと
を有する機器制御システムであり、
前記通信ユニットは、
通信機器を用いて無線通信を行うユニット通信部と、
前記エリアコントローラが無線通信に使用しているチャンネルと識別符号とを用いて探索信号を前記ユニット通信部に送信させ、前記ユニット通信部が前記エリアコントローラから受信した応答信号の信号レベルを表示機器を用いて表示するユニット無線レベル計測部と
を備えることを特徴とする機器制御システム。
【請求項９】
電気機器と通信する通信ユニットと、
前記通信ユニットと無線通信して前記通信ユニットを介して電気機器を制御するエリアコントローラと
を有する機器制御システムであり、
前記通信ユニットは、
通信機器を用いて無線通信を行うユニット通信部と、
前記エリアコントローラが無線通信に使用しているチャンネルと識別符号とを用いて探索信号を前記ユニット通信部に送信させ、前記ユニット通信部が前記エリアコントローラから受信した応答信号の信号レベルに基づいて前記エリアコントローラとの無線通信が可能な延長可能距離を前記リモートコントローラの位置を基準に算出し、算出した延長可能距離を表示機器を用いて表示するユニット無線距離計測部と
を備えることを特徴とする機器制御システム。
【請求項１０】
前記リモートコントローラは、さらに、
前記エリアコントローラが無線通信に使用しているチャンネルと識別符号とを用いて探索信号を前記リモコン通信部に送信させ、前記リモコン通信部が前記エリアコントローラから受信した応答信号の信号レベルを表示機器を用いて表示するリモコン無線レベル計測部と、
前記エリアコントローラが無線通信に使用しているチャンネルと識別符号とを用いて探索信号を前記リモコン通信部に送信させ、前記リモコン通信部が前記エリアコントローラから受信した応答信号の信号レベルに基づいて前記エリアコントローラとの無線通信が可能な延長可能距離を前記リモートコントローラの位置を基準に算出し、算出した延長可能距離を表示機器を用いて表示するリモコン無線距離計測部と
の少なくともいずれかを備える
ことを特徴とする請求項１記載の機器制御システム。
【請求項１１】
前記パーソナルコンピュータは、さらに、
前記エリアコントローラが無線通信に使用しているチャンネルと識別符号とを用いて探索信号を前記アンテナアダプタに送信させ、前記アンテナアダプタが前記エリアコントローラから受信した応答信号の信号レベルを表示機器を用いて表示するパソコン無線レベル計測部と、
前記エリアコントローラが無線通信に使用しているチャンネルと識別符号とを用いて探索信号を前記アンテナアダプタに送信させ、前記アンテナアダプタが前記エリアコントローラから受信した応答信号の信号レベルに基づいて前記エリアコントローラとの無線通信が可能な延長可能距離を前記アンテナアダプタの位置を基準に算出し、算出した延長可能距離を表示機器を用いて表示するパソコン無線距離計測部と
の少なくともいずれかを備える
ことを特徴とする請求項４記載の機器制御システム。
【請求項１２】
前記通信ユニットは、さらに、
前記エリアコントローラが無線通信に使用しているチャンネルと識別符号とを用いて探索信号を前記ユニット通信部に送信させ、前記ユニット通信部が前記エリアコントローラから受信した応答信号の信号レベルを表示機器を用いて表示するユニット無線レベル計測部と、
前記エリアコントローラが無線通信に使用しているチャンネルと識別符号とを用いて探索信号を前記ユニット通信部に送信させ、前記ユニット通信部が前記エリアコントローラから受信した応答信号の信号レベルに基づいて前記エリアコントローラとの無線通信が可能な延長可能距離を前記リモートコントローラの位置を基準に算出し、算出した延長可能距離を表示機器を用いて表示するユニット無線距離計測部と
の少なくともいずれかを備える
ことを特徴とする請求項７記載の機器制御システム。
【請求項１３】
請求項７〜請求項９、請求項１２いずれかに記載の機器制御システムと、
前記機器制御システムにより前記電気機器として制御される照明器具と、
前記機器制御システムにより前記電気機器として制御される壁スイッチと人感センサと照度センサとの少なくともいずれかの端末器と
を有する照明制御システムであり、
前記照明器具と前記端末器との少なくともいずれかは、
通信機器を用いて無線通信を行う端末通信部と、
無線通信に使用されるチャンネルと識別符号との複数の組み合わせのうちの１つの組み合わせを用いて探索信号を前記端末通信部に送信させ、前記端末通信部が前記通信ユニットからの応答信号を受信できた場合に前記端末通信部に探索信号の送信に使用させたチャンネルと識別符号とを前記通信ユニットが無線通信に使用しているチャンネルと識別符号として記憶機器に設定し、前記端末通信部が前記通信ユニットからの応答信号を受信できなかった場合にチャンネルと識別符号との新たな組み合わせで前記端末通信部に探索信号を送信させる端末無線設定部と
を備えることを特徴とする照明制御システム。
【請求項１４】
請求項７〜請求項９、請求項１２いずれかに記載の機器制御システムと、
前記機器制御システムにより前記電気機器として制御される照明器具と、
前記機器制御システムにより前記電気機器として制御される壁スイッチと人感センサと照度センサとの少なくともいずれかの端末器と
を有する照明制御システムであり、
前記照明器具と前記端末器との少なくともいずれかは、
通信機器を用いて無線通信を行う端末通信部と、
前記通信ユニットが無線通信に使用しているチャンネルと識別符号とを用いて探索信号を前記端末通信部に送信させ、前記端末通信部が前記通信ユニットから受信した応答信号の信号レベルを表示機器を用いて表示する端末無線レベル計測部と
を備えることを特徴とする照明制御システム。
【請求項１５】
請求項７〜請求項９、請求項１２いずれかに記載の機器制御システムと、
前記機器制御システムにより前記電気機器として制御される照明器具と、
前記機器制御システムにより前記電気機器として制御される壁スイッチと人感センサと照度センサとの少なくともいずれかの端末器と
を有する照明制御システムであり、
前記照明器具と前記端末器との少なくともいずれかは、
通信機器を用いて無線通信を行う端末通信部と、
前記通信ユニットが無線通信に使用しているチャンネルと識別符号とを用いて探索信号を前記端末通信部に送信させ、前記端末通信部が前記通信ユニットから受信した応答信号の信号レベルに基づいて前記通信ユニットとの無線通信が可能な延長可能距離を探索信号を送信時の位置を基準に算出し、算出した延長可能距離を表示機器を用いて表示する端末無線距離計測部と
を備えることを特徴とする照明制御システム。
【請求項１６】
前記照明器具と前記端末器との少なくともいずれかは、さらに、
前記通信ユニットが無線通信に使用しているチャンネルと識別符号とを用いて探索信号を前記端末通信部に送信させ、前記端末通信部が前記通信ユニットから受信した応答信号の信号レベルを表示機器を用いて表示する端末無線レベル計測部と、
前記通信ユニットが無線通信に使用しているチャンネルと識別符号とを用いて探索信号を前記端末通信部に送信させ、前記端末通信部が前記通信ユニットから受信した応答信号の信号レベルに基づいて前記通信ユニットとの無線通信が可能な延長可能距離を探索信号を送信時の位置を基準に算出し、算出した延長可能距離を表示機器を用いて表示する端末無線距離計測部と
の少なくともいずれかを備える
ことを特徴とする請求項１３記載の照明制御システム。
【発明の詳細な説明】
【技術分野】
【０００１】
本発明は、例えば、無線のチャンネルおよびＩＤ（Ｉｄｅｎｔｉｆｉｅｒ）、信号レベルおよび信号レベルに基づく機器間の延長可能距離を探索する機器制御システムおよび照明制御システムに関するものである。
【背景技術】
【０００２】
特許文献１では、送信アンテナと受信アンテナとの位置関係や使用する電波の周波数によらず、送信波と反射波との干渉を抑えて安定した通信が行える照明システムを提供している。しかしながら、特許文献１が開示する技術は、送信アンテナの周囲に所定方向への電波を遮蔽する遮蔽手段を設けるという、アンテナ形状を工夫して通信品質を高める方法である。このため、特許文献１が開示する技術には、アンテナサイズが大きくなる、コストが高くなる、といった課題がある。
【特許文献１】特開２００２−３４３５８１号公報
【発明の開示】
【発明が解決しようとする課題】
【０００３】
１つの無線通信帯域は複数のチャンネル（例えば、１６チャンネル）に分けられて使用され、さらに、決められたチャンネルを利用して通信する各通信システム（または、通信機器）にはそれぞれにＩＤ番号（識別符号）が付加される。そして、各通信システムは自システムに対して定められたチャンネルおよびＩＤ番号を用いて通信を行う。このため、照明システムにおいて、無線通信を行うシステムコントローラ（後述するエリアコントローラ、通信ユニット）や照明器具等を増設したり新設したりするためにチャンネルおよびＩＤを特定し、通信設定する必要があった。
いままでの技術では、通信できるチャンネルおよびＩＤを図面等に事前に記載しておき、利用者がその記載に基づいて照明システムの通信設定を行っていた。このため、チャンネルおよびＩＤの記載が漏れていたり、誤っていたり、不鮮明であったりすると、新たに設置するシステムコントローラや照明器具等に設定するチャンネルおよびＩＤは、１つずつ試したり、天井に設置されている既設のシステムコントローラや照明器具等のＤＩＰスイッチを目視で確認したりして特定しなくてはならなかった。
【０００４】
また、無線通信機器は仕様で取り決められている無線通信の可能範囲内（例えば、直径１６ｍ程度の円周内）に設置する必要がある。しかしながら、仕様に記載の範囲内に無線通信機器を設置しても、パーテーション、天井材、コンクリートなどの外部環境の影響により実際には通信できなかったり、通信品質（フレームエラーレート）が悪くなったりする場合があった。このため、照明システムが無線通信できるか否かは実際に天井や壁に穴を開けてシステムコントローラや照明器具等を設置して試してみなくては確認することができなかった。また、天井や壁に余計な穴を開けないためには、無線通信における外部環境の影響や安全率を考慮する関係で、仕様に記載の設置間隔より比較的狭い間隔でシステムコントローラを設置する必要があった。ここで、無線品質を損なうことなく各無線機器を最大間隔で設置することができれば、機器台数を削減することができ、効率の良い設置が行える。つまり、設置できる最大間隔の目安が事前にわかれば、効率の良い設置が行える。
【０００５】
本発明は、例えば、増設または新設する照明システムに設定可能な無線通信のチャンネルおよびＩＤの特定、設定を容易にすることを目的とする。
【０００６】
また例えば、本発明は、パーテーション、天井材、コンクリートなどの外部環境に対応した実際の無線通信可能範囲を容易に特定し、システムコントローラを効率良く配置できるようにすることを目的とする。
【課題を解決するための手段】
【０００７】
本発明の機器制御システムは、電気機器を制御するエリアコントローラと、前記エリアコントローラと無線通信して電気機器を制御するリモートコントローラとを有する機器制御システムであり、前記リモートコントローラは、通信機器を用いて無線通信を行うリモコン通信部と、無線通信に使用されるチャンネルとＩＤとの複数の組み合わせのうちの１つの組み合わせを用いて探索信号を前記リモコン通信部に送信させ、前記リモコン通信部が前記エリアコントローラからの応答信号を受信できた場合に前記リモコン通信部に探索信号の送信に使用させたチャンネルとＩＤとを前記エリアコントローラが無線通信に使用しているチャンネルとＩＤとして記憶機器に設定し、前記リモコン通信部が前記エリアコントローラからの応答信号を受信できなかった場合にチャンネルとＩＤとの新たな組み合わせで前記リモコン通信部に探索信号を送信させるリモコン無線設定部とを備えることを特徴とする。
【発明の効果】
【０００８】
本発明によれば、例えば、ＤＩＰスイッチを確認しなくても、エリアコントローラのチャンネルおよびＩＤを容易に知ることができる。これにより、リモートコントローラや新設する通信ユニットに対する無線通信設定が容易になる。
【発明を実施するための最良の形態】
【０００９】
実施の形態１．
図１は、実施の形態１における照明制御システム８００の機器構成図である。
実施の形態１における照明制御システム８００の機器構成について図１に基づいて以下に説明する。
【００１０】
照明制御システム８００は複数の照明制御ユニット８１０と各照明制御ユニット８１０を制御する１つのエリアコントローラ５００とを有する。また、各照明制御ユニット８１０はそれぞれ照明器具３００、壁スイッチ４２０、人感センサ４００、照度センサ４１０などの複数台の端末器とこれら端末器を制御する１台の通信ユニット１００と利用者が操作するリモートコントローラ２００とを有する。例えば、照明制御システム８００は、１台の通信ユニット１００が制御可能な台数以上の端末器を有する場合やまとまった台数の端末器が増設される場合などに、通信ユニット１００が増設され、照明制御ユニット８１０が複数となる。
但し、照明制御システム８００に対して１つの照明制御ユニット８１０であっても構わない。また、照明制御システム８００において、通信ユニット１００がエリアコントローラ５００の機能を兼備し、エリアコントローラ５００を有さず、特定の通信ユニット１００がエリアコントローラ５００として兼用されても構わない。
また、通信線８２１を無線通信としてもよい。
【００１１】
照明制御システム８００には無線通信で使用するチャンネルおよびＩＤが１組定められており、エリアコントローラ５００、通信ユニット１００およびリモートコントローラ２００は自システムに対して定められたチャンネルおよびＩＤを使用して無線通信を行う。例えば、通信される信号は情報として所定のＩＤが設定され、所定のチャンネルが示す周波数帯の電波により送信され、所定のチャンネルが示す周波数帯の電波として受信され、所定のＩＤが設定されている場合に受信処理される。例えば、無線通信にはＺｉｇＢｅｅ（登録商標）やＢｌｕｅｔｏｏｔｈ（登録商標）などの通信技術が用いられ、２．４ＧＨｚ帯の周波数帯域が１６のチャンネルに分割され使用される。チャンネルおよびＩＤはシステム間で異なり、エリアコントローラ５００、通信ユニット１００およびリモートコントローラ２００は、設定されたチャンネルおよびＩＤを使用して無線通信を行うことにより、他システムとの混信を防いでいる。なお、チャンネルおよびＩＤはエリアコントローラ５００および通信ユニット１００にはＤＩＰスイッチで設定され、リモートコントローラ２００にはソフトウェア設定（記憶機器に記憶）される。また、「チャンネル」は電波の特定の周波数帯（または、通信タイミングを示す特定の時間帯）を示し、「ＩＤ」はシステム（または機器）の識別情報を示す。以下、チャンネルおよびＩＤを無線識別情報という。エリアコントローラ５００、通信ユニット１００のチャンネル、ＩＤの設定は、同一のチャンネル、ＩＤのリモートコントローラ２００でＩＤ、チャンネルを変更して行ってもよい。
【００１２】
エリアコントローラ５００は通信ユニット１００およびリモートコントローラ２００と無線通信を行い、通信ユニット１００を介して各端末器を制御する。
また、各通信ユニット１００は通信線８２１で接続する特定台数（例えば、最大６０台）の端末器を有線通信により制御する。但し、通信ユニット１００は端末器を無線通信により制御しても構わない。この場合、以下の説明において「エリアコントローラ５００」を通信ユニット１００に置き換え、「通信ユニット１００」を端末器に置き換えることで、通信ユニット１００と端末器との関係を説明することができる。すべて無線通信で行う場合は、エリアコントローラ５００と通信ユニット１００とを一体化してもよい。
【００１３】
なお、エリアコントローラ５００、通信ユニット１００および端末器には電気線（図示省略）から商用電源が供給される。
【００１４】
リモートコントローラ２００は利用者に入力されたシステム設定情報をエリアコントローラ５００に無線送信し、エリアコントローラ５００はリモートコントローラ２００から受信したシステム設定情報に基づいて通信ユニット１００を介して各端末器を制御する。システム設定情報については後述する。
【００１５】
さらに、リモートコントローラ２００はエリアコントローラ５００が無線通信で使用するチャンネルおよびＩＤ（無線識別情報）を探索する「チャンネルＩＤ探索機能」、エリアコントローラ５００から届く無線の信号レベル（電波強度）を探索する「信号レベル探索機能」、エリアコントローラ５００からの無線が届く距離を探索する「無線距離探索機能」を有する。
実施の形態１における照明制御システム８００はリモートコントローラ２００が「チャンネルＩＤ探索機能」、「信号レベル探索機能」、「無線距離探索機能」を有することを特徴とする。
【００１６】
ここで、リモートコントローラ２００からエリアコントローラ５００に送信され、エリアコントローラ５００により各端末器の制御に用いられるシステム設定情報について説明する。
システム設定情報には、各端末器をグループ分けするグループ情報、各端末器の機能を個別に又はグループ毎に制御する制御情報、特定の制御情報を示し端末器毎またはグループ毎に設定されるシーン情報などが含まれる。
【００１７】
制御情報には、目標調光率、上限調光率、下限調光率、不在調光率またはシーン調光率といった調光率情報、目標照度、初期照度、初期照度補正または調光カーブといった照度情報、フェード時間または不在フェード時間といった明るさの変化情報、保持時間または不在消灯ディレー時間といった明るさの保持情報、照度センサの有効／無効、照度センサ感度、照度通報変化量または照度通報間隔時間といった照度センサ情報、インバータ動作モード、ブザーＯＮ／ＯＦＦ状態または優先制御状態といった異常時情報、スケジュールデータなどがある。
【００１８】
以下に各制御情報について説明する。
目標調光率とは、電源がＯＮになった場合や目標調光率が変更された場合に点灯させる照明の調光率のことである。照明は、照明器具３００の光源のことであり、例えば、放電灯、ＬＥＤ、ＥＬ、電球である。
目標照度とは、電源がＯＮになった場合や目標照度が変更された場合に点灯させる照明の照度のことである。
フェード時間とは、電源がＯＮになった場合に照明の調光率（または照度）を０から第１の目標調光率（または第１の目標照度）に上げるまでの時間および電源がＯＦＦになった場合に照明の調光率（または照度）を第１の目標調光率（または第１の目標照度）から０に下げるまでの時間のことである。但し、フェード時間は、照明の調光率（または照度）を第１の目標調光率（または第１の目標照度）から第２の目標調光率（または第２の目標照度）に下げる（または上げる）までの時間であってもよい。また、フェード時間は調光率（または照度）の変化率で表わしてもよい。また、フェード時間の始期は電源のＯＮ／ＯＦＦに限らず、特定の時刻であってもよい。また、フェード時間は電源ＯＮ、電源ＯＦＦおよび各特定の時刻のそれぞれに異なる値が設定されていてもよい。
【００１９】
不在フェード時間とは、人感センサ４００が人を検知して検知有の状態になった場合に照明の調光率を０から目標調光率に上げるまでの時間および人感センサ４００が人を検知せず検知無の状態になってから特定の保持時間後に照明の調光率を目標調光率から不在調光率に下げるまでの時間を示す。前者を在時の不在フェード時間、後者を不在時の不在フェード時間として区別してもよい。また、不在フェード時間はフェード時間と同様に変化率で表してもよい。
保持時間とは、人感センサ４００が検知無の状態になった後も照明の調光率を目標調光率または目標照度のまま保つ時間のことである。
不在消灯ディレー時間とは、不在フェード時間経過後も照明の調光率を不在調光率で保つ時間のことである。
【００２０】
調光カーブとは、人（眼）が感じる明るさの特性のことである。人が感じる光の明るさは照明が発する光の明るさとは異なるため、実際の調光率（または照度）は目標調光率（または目標照度）を元にして調光カーブに基づいて調整される。
【００２１】
初期照度補正とは、累積点灯時間に応じて変化する照明の照度と調光率との関係を示す特性のことであり、所定の最大累積点灯時間経過時に調光率１００％で点灯した場合と同じ照度となる調光率を累積点灯時間毎に示す。放電灯は同一の調光率であっても累積点灯時間と共に照度が下がり、実際の調光率は目標照度になるように目標調光率を元にして初期照度補正に基づいて調整される。
また、初期照度とは、初期照度補正を行わないで新しい放電灯を調光率１００％で点灯させた時の照度のことである。
【００２２】
上限調光率および下限調光率は、目標調光率、不在調光率などの調光率の上限値と下限値のことである。
照度センサ感度は照度センサ４１０の感度レベルのことである。
照度通報変化量は、照度センサ４１０が計測した照度を出力する条件のことである。照度センサ４１０は一定時間の間に、または、目標照度に対して照度通報変化量以上に照度が変化した場合に計測した照度を通信ユニット１００を介してエリアコントローラ５００に送信する。
照度通報間隔時間とは、照度センサ４１０が計測した照度を出力する条件のことである。照度センサ４１０は照度通報間隔時間の経過毎に計測した照度を通信ユニット１００を介してエリアコントローラ５００に送信する。
インバータ動作モードとは、照明器具３００の点灯装置３１０をリセット後の放電灯の再点灯方法を示す。例えば、再点灯方法にはリセット前と同じ設定での点灯や工場出荷時の設定での点灯がある。
ブザーＯＮ／ＯＦＦ状態とは、照明器具３００の点灯装置３１０が故障した場合や光源の異常を検出した場合に通報ブザーを鳴らすか（ＯＮ状態）鳴らさないか（ＯＦＦ状態）の設定のことである。
優先制御状態とは、照明器具３００の点灯装置３１０が故障した場合や光源の異常を検出した場合の制御方法のことである。例えば、優先制御状態は光源の消灯または点滅を示す。
スケジュールデータとは、年月日、時刻、曜日などに対応付けた各種動作設定のことである。例えば、各種動作設定には照明器具３００や人感センサ４００や照度センサ４１０のＯＮ／ＯＦＦ、照明の調光率やフェード時間などがある。
【００２３】
図２は、実施の形態１における複数の照明制御システム８００の配置例を示す図である。
図２では、１つのフロアに照明制御システムＡ８０１と照明制御システムＢ８０２と照明制御システムＣ８０３との３つのシステムが共存し、照明制御システムＡ８０１は照明制御ユニットａ８１１と照明制御ユニットｂ８１２との２つのユニットを有し、照明制御システムＢ８０２は照明制御ユニットｃ８１３を有し、照明制御システムＣ８０３は照明制御ユニットｄ８１４を有している。
【００２４】
照明制御システムＡ８０１において、照明制御ユニットａ８１１の通信ユニット１００ａおよび照明制御ユニットｂ８１２の通信ユニット１００ｂはエリアコントローラ５００ａの無線通信可能範囲内に設置されている。また、照明制御ユニットａ８１１において、通信ユニット１００ａは通信線８２１により渡り配線された照明器具３００ａ〜照明器具３００ｈを制御する。また、照明制御ユニットｂ８１２において、通信ユニット１００ｂは通信線８２１により渡り配線された照明器具３００ｉ〜照明器具３００ｎを制御する。そして、エリアコントローラ５００ａは通信ユニット１００ａおよび通信ユニット１００ｂを介して照明器具３００ａ〜照明器具３００ｎを制御する。
同様に、照明制御システムＢ８０２において、通信ユニット１００ｃはエリアコントローラ５００ｂの無線通信可能範囲内に設置され、エリアコントローラ５００ｂは通信ユニット１００ｃを介して照明器具３００ｏ〜照明器具３００ｒを制御する。また、照明制御システムＣ８０３において、通信ユニット１００ｄはエリアコントローラ５００ｃの無線通信可能範囲内に設置され、エリアコントローラ５００ｃは通信ユニット１００ｄを介して照明器具３００ｓ〜照明器具３００ｘを制御する。
なお、照明器具３００はエリアコントローラ５００により制御される端末器の一例であり、図示を省略した壁スイッチ４２０、人感センサ４００、照度センサ４１０などの端末器も照明器具３００と共に渡り配線されているものとする。渡り配線された各端末器は１本の通信線８２１により数珠繋ぎで接続されている。
【００２５】
ここで、照明制御システムＣ８０３に対して新たに照明制御ユニットｅ８１５を追加する場合、新設する通信ユニット１００ｅには照明制御システムＣ８０３に対して定められた無線通信のチャンネルおよびＩＤ、つまり、エリアコントローラ５００ｃが無線通信に使用しているチャンネルおよびＩＤを設定する必要がある。
また、通信ユニット１００ｅはエリアコントローラ５００ｃの無線通信可能範囲内に設置される必要がある。
照明制御ユニットｅ８１５は通信ユニット１００ｅが通信線８２１により接続する照明器具３００Ａ〜照明器具３００Ｄを制御するユニットである。照明制御ユニットｅ８１５が追加されることにより、エリアコントローラ５００ｃは通信ユニット１００ｅを介して、さらに、照明器具３００Ａ〜照明器具３００Ｄを制御する。
【００２６】
実施の形態１におけるチャンネルおよびＩＤを探索する「チャンネルＩＤ探索方法」、エリアコントローラ５００から届く無線の信号レベルを探索する「信号レベル探索方法」およびエリアコントローラ５００からの無線が届く距離を探索する「無線距離探索方法」とについて後述して説明する。実施の形態１では「チャンネルＩＤ探索方法」、「信号レベル探索方法」および「無線距離探索方法」をリモートコントローラ２００を用いて実現する。
実施の形態１における照明制御システム８００は後述する「チャンネルＩＤ探索方法」、「信号レベル探索方法」、「無線距離探索方法」を利用することにより上記のような照明制御ユニットｅ８１５の追加を容易にする。
【００２７】
なお、通信ユニット１００ｄの制御可能台数以内であれば、照明器具３００Ａ〜照明器具３００Ｄを通信ユニット１００ｄに接続して制御することはできる。しかし、照明器具３００Ａ〜照明器具３００Ｄに渡り配線されている既設の通信線８２１を照明器具３００ｓ〜照明器具３００ｘにも渡り配線されるように配線する必要が有る。つまり、照明制御ユニットｅ８１５を追加することで端末器の増設を容易にすることができる。また、通信ユニット１００ｄの端末接続台数が制御可能台数を超える場合、通信ユニット１００ｅを追加することで各端末を制御することができる。
【００２８】
図３は、実施の形態１におけるエリアコントローラ５００、通信ユニット１００およびリモートコントローラ２００の機能構成図である。
図４は、実施の形態１における各端末器の機能構成図である。
実施の形態１における照明制御システム８００を構成する各機器の機能構成について図３および図４に基づいて以下に説明する。
【００２９】
図３において、リモートコントローラ２００はリモコン通信部２１０、リモコン入力部２２０、リモコン表示部２３０、リモコン設定部２４０、リモコン探索部２５０およびリモコン記憶部２９０を備える。
リモコン通信部２１０は所定のチャンネルおよびＩＤを用いて通信機器により無線通信を行う。例えば、リモコン通信部２１０はシステム設定情報や後述する探索信号をエリアコントローラ５００に送信し、後述する応答信号をエリアコントローラ５００から受信する。
リモコン入力部２２０は入力ボタンの押下を検出し、押下された入力ボタンの情報を入力する。
リモコン表示部２３０は各種の画面や情報をディスプレイに表示する。
リモコン設定部２４０はリモコン入力部２２０の入力に応じてシステム設定情報をＣＰＵを用いて生成し、生成したシステム設定情報をリモコン通信部２１０によりエリアコントローラ５００に送信する。
リモコン探索部２５０はリモコン無線設定部２５１、リモコン無線レベル計測部２５２およびリモコン無線距離計測部２５３を備え、チャンネルＩＤ探索機能、信号レベル探索機能および無線距離探索機能を実行する。
リモコン無線設定部２５１はチャンネルＩＤ探索機能をＣＰＵを用いて実行する。例えば、チャンネルＩＤ探索機能として、リモコン無線設定部２５１はチャンネルとＩＤとの複数の組み合わせのうちの１つの組み合わせを用いて探索信号をリモコン通信部２１０に送信させる。そして、リモコン通信部２１０がエリアコントローラ５００からの応答信号を受信できた場合、リモコン無線設定部２５１はリモコン通信部２１０に対して探索信号の送信に使用させたチャンネルとＩＤとを、エリアコントローラ５００が無線通信に使用しているチャンネルとＩＤとしてリモコン記憶部２９０に記憶して設定させる。また、リモコン通信部２１０がエリアコントローラ５００からの応答信号を受信できなかった場合、リモコン無線設定部２５１はチャンネルとＩＤとの新たな組み合わせでリモコン通信部２１０に探索信号を送信させる。
リモコン無線レベル計測部２５２は信号レベル探索機能をＣＰＵを用いて実行する。例えば、信号レベル探索機能として、リモコン無線レベル計測部２５２はエリアコントローラ５００が無線通信に使用しているチャンネルとＩＤとを用いて探索信号をリモコン通信部２１０に送信させる。そして、リモコン無線レベル計測部２５２はリモコン通信部２１０がエリアコントローラ５００から受信した応答信号の信号レベルをディスプレイ、ＬＥＤ、バイブレータやスピーカなどの出力装置（表示機器）を用いて出力する。
リモコン無線距離計測部２５３は無線距離探索機能をＣＰＵを用いて実行する。例えば、無線距離探索機能として、まず、リモコン無線距離計測部２５３はエリアコントローラ５００が無線通信に使用しているチャンネルとＩＤとを用いて探索信号をリモコン通信部２１０に送信させる。次に、リモコン無線距離計測部２５３はリモコン通信部２１０がエリアコントローラ５００から受信した応答信号の信号レベルに基づいてエリアコントローラ５００との無線通信が可能な延長可能距離をリモートコントローラ２００の位置を基準に算出する。そして、リモコン無線距離計測部２５３は算出した延長可能距離をディスプレイ、ＬＥＤ、バイブレータやスピーカなどの出力装置を用いて出力する。
リモコン記憶部２９０はリモートコントローラ２００が入出力した、または、予め設定された各種情報を記憶機器を用いて記憶する。例えば、リモコン記憶部２９０はシステム設定情報、全チャンネルおよび全ＩＤ、エリアコントローラ５００が使用しているチャンネルおよびＩＤ、エリアコントローラ５００からの応答信号の信号レベル、エリアコントローラ５００との無線通信が可能な延長可能距離を記憶する。
【００３０】
図３において、エリアコントローラ５００はコントローラ制御部５１０、コントローラ通信部５２０およびコントローラ記憶部５９０を備える。
コントローラ制御部５１０はリモートコントローラ２００から送信されたシステム設定情報に基づく機器制御をＣＰＵを用いて実行する。例えば、コントローラ制御部５１０はシステム設定情報に基づいてユニット設定情報を生成し、生成したユニット設定情報をコントローラ通信部５２０により当該通信ユニット１００に送信する。これにより、コントローラ制御部５１０は通信ユニット１００を介して各端末器を制御する。
コントローラ通信部５２０はＤＩＰスイッチ等により設定されているチャンネルおよびＩＤを用いて通信機器により無線通信を行う。例えば、コントローラ通信部５２０はリモートコントローラ２００から送信されたシステム設定情報や探索信号を受信する。また例えば、コントローラ通信部５２０はコントローラ制御部５１０が生成したユニット設定情報をコントローラ制御部５１０に送信する。また例えば、コントローラ通信部５２０は探索信号に対して応答信号を生成し、生成した応答信号を送信する。
コントローラ記憶部５９０はエリアコントローラ５００が入出力した、または、予め設定された各種情報を記憶機器を用いて記憶する。例えば、コントローラ記憶部５９０はシステム設定情報、エリアコントローラ５００の識別情報（例えば、ＭＡＣアドレス）、各端末器の識別情報を記憶する。
【００３１】
図３において、通信ユニット１００はユニット制御部１１０、ユニット有線通信部１２０、ユニット無線通信部１３０およびユニット記憶部１９０を備える。
ユニット制御部１１０はエリアコントローラ５００から送信されたユニット設定情報に基づく機器制御をＣＰＵを用いて実行する。例えば、ユニット制御部１１０はユニット設定情報に基づいて端末制御情報を生成し、生成した端末制御情報をユニット有線通信部１２０により各端末器に送信する。これにより、ユニット制御部１１０は各端末器を制御する。
ユニット有線通信部１２０は有線接続インタフェースを有する通信機器を用いて有線通信を行う。例えば、ユニット有線通信部１２０はユニット制御部１１０が生成した端末制御情報を各端末器に送信する。
ユニット無線通信部１３０はＤＩＰスイッチ等により設定されているチャンネルおよびＩＤを用いて無線接続インタフェースを有する通信機器により無線通信を行う。例えば、ユニット無線通信部１３０はエリアコントローラ５００から送信されたユニット設定情報を受信する。
ユニット記憶部１９０は通信ユニット１００が入出力した、または、予め設定された各種情報を記憶機器を用いて記憶する。例えば、ユニット記憶部１９０はユニット設定情報、通信ユニット１００の識別情報、各端末器の識別情報を記憶する。
【００３２】
図４において、壁スイッチ４２０はスイッチ入力部４２１、スイッチ設定部４２２、スイッチ通信部４２３、スイッチ表示部４２４およびスイッチ記憶部４２９を備える。
スイッチ入力部４２１はスイッチボタンの押下を検出し、押下されたスイッチボタンの情報を入力する。
スイッチ設定部４２２は通信ユニット１００から送信された端末制御情報に基づいて動作する。例えば、スイッチ設定部４２２は特定の端末器、特定のグループまたは特定のシーンを割り付けて各スイッチボタンを設定する。
スイッチ通信部４２３は通信機器を用いて有線通信を行う。例えば、スイッチ通信部４２３は通信ユニット１００から送信された端末制御情報を受信する。また例えば、スイッチ通信部４２３はスイッチ入力部４２１により検出されたスイッチボタンの設定情報を通信ユニット１００や他の端末器に送信する。
スイッチ記憶部４２９は壁スイッチ４２０が入出力した、または、予め設定された各種情報を記憶機器を用いて記憶する。例えば、スイッチ記憶部４２９は各スイッチボタンの設定情報、端末制御情報、壁スイッチ４２０の識別情報を記憶する。
スイッチ表示部４２４は、スイッチ押下の状態表示や通信ユニット１００から送信された端末制御情報を表示する。
【００３３】
図４において、人感センサ４００は人感センサ制御部４０１、人感センサ通信部４０２、人感センサ表示部４０３および人感センサ記憶部４０９を備える。
人感センサ制御部４０１は通信ユニット１００から送信された端末制御情報に基づいて動作する。例えば、人感センサ制御部４０１は設置エリアにおける人の有無を検出する。人感センサ制御部４０１は焦電センサ（熱センサ）や光通過センサにより赤外線量や光量を測定し、赤外線や光の変化により人の有無を判定する。
人感センサ通信部４０２は通信機器を用いて有線通信を行う。例えば、人感センサ通信部４０２は通信ユニット１００から送信された端末制御情報を受信する。また例えば、人感センサ通信部４０２は人感センサ制御部４０１により検出された人の有無を示す情報を通信ユニット１００を介してエリアコントローラ５００に送信する。
人感センサ記憶部４０９は人感センサ４００が入出力した、または、予め設定された各種情報を記憶機器を用いて記憶する。例えば、人感センサ記憶部４０９は人の有無を示す情報、端末制御情報、人感センサ４００の識別情報を記憶する。
人感センサ表示部４０３は、人感センサ制御部４０１により検出された人の有無を表示または検出時のみ表示する。
【００３４】
図４において、照度センサ４１０は照度センサ制御部４１１、照度センサ通信部４１２および照度センサ記憶部４１９を備える。
照度センサ制御部４１１は通信ユニット１００から送信された端末制御情報に基づいて動作する。例えば、照度センサ制御部４１１は設置エリアの実照度を測定する。
照度センサ通信部４１２は通信機器を用いて有線通信を行う。例えば、照度センサ通信部４１２は通信ユニット１００から送信された端末制御情報を受信する。また例えば、照度センサ通信部４１２は照度センサ制御部４１１により計測された照度を通信ユニット１００を介してエリアコントローラ５００に送信する。
照度センサ記憶部４１９は照度センサ４１０が入出力した、または、予め設定された各種情報を記憶機器を用いて記憶する。例えば、照度センサ記憶部４１９は照度センサ感度、計測された照度、端末制御情報、照度センサ４１０の識別情報を記憶する。
【００３５】
図４において、照明器具３００は点灯装置３１０に点灯制御部３１１、点灯装置制御部３１２、点灯装置通信部３１３および点灯装置記憶部３１９を備える。
点灯制御部３１１は点灯回路を制御して光源を点灯制御する。例えば、点灯制御部３１１はインバータ回路を制御して放電灯を全光点灯、調光点灯、点滅または消灯させる。
点灯装置制御部３１２は通信ユニット１００から送信された端末制御情報に基づいて動作する。例えば、点灯装置制御部３１２は点灯制御部３１１により光源を全光点灯、調光点灯、点滅または消灯させたり、累積点灯時間を計数したりする。
点灯装置通信部３１３は通信機器を用いて有線通信を行う。例えば、点灯装置通信部３１３は通信ユニット１００から送信された端末制御情報を受信する。また例えば、点灯装置通信部３１３は点灯装置制御部３１２により計数された累積点灯時間や点灯制御部３１１が検出したエラー情報を通信ユニット１００を介してエリアコントローラ５００に送信する。
点灯装置記憶部３１９は照明器具３００が入出力した、または、予め設定された各種情報を記憶機器を用いて記憶する。例えば、点灯装置記憶部３１９は累積点灯時間、エラー情報、端末制御情報、照明器具３００の識別情報を記憶する。
【００３６】
ここで、リモートコントローラ２００を用いて行う「チャンネルＩＤ探索方法」について説明する。「チャンネルＩＤ探索方法」には、（Ａ）チャンネルとＩＤとを同時に探索する方法、（Ｂ）チャンネルを探索後にＩＤを探索する方法があり、それぞれに（ａ）自動探索方法、（ｂ）マニュアル探索方法がある。（ａ）自動探索方法とはチャンネルおよびＩＤをリモートコントローラ２００が切り替えながら探索する方法であり、（ｂ）マニュアル探索方法とはチャンネルおよびＩＤを利用者がリモートコントローラ２００に対して切り替えながら探索する方法である。それぞれ、チャンネルおよびＩＤを切り替えながら探索信号として送信し、応答の有った探索信号が示すチャンネルおよびＩＤを使用されている無線識別情報として特定する方法である。
【００３７】
図５は、実施の形態１における無線識別情報の探索例Ａを示す図である。
図６は、実施の形態１における無線識別情報の探索例Ｂを示す図である。
以下、（Ａ）チャンネルとＩＤとを同時に探索する（ａ）自動探索方法および（ｂ）マニュアル探索方法について、図５に基づいて説明する。
また、（Ｂ）チャンネルを探索後にＩＤを探索する（ａ）自動探索方法および（ｂ）マニュアル探索方法について、図６に基づいて説明する。
【００３８】
ここで、天井８２２に設置されているエリアコントローラ５００が無線通信に使用している無線識別情報を「チャンネル２」、「ＩＤ２」とする。また、チャンネルは「１」〜「１６」、ＩＤは「１」〜「２」で識別されているものとする。
【００３９】
まず、図５に基づいて（Ａ）チャンネルとＩＤとを同時に探索する（ａ）自動探索方法について説明する。
利用者がリモートコントローラ２００を操作してチャンネルおよびＩＤを探索する探索画面８３１を表示して探索ボタン２０１を押下した際、リモートコントローラ２００は以下のようにしてエリアコントローラ５００のチャンネルおよびＩＤを探索する。
【００４０】
（１）まず、リモートコントローラ２００は探索信号を「チャンネル１」および「ＩＤ１」で送信する。このとき、エリアコントローラ５００は送信された探索信号のチャンネルおよびＩＤが自己のチャンネルおよびＩＤと異なるため探索信号に対して応答しない。所定の時間待って探索信号に対する応答が無い場合（タイムアウトした場合）、リモートコントローラ２００は（１）の処理を終了する。
（２）次に、リモートコントローラ２００はＩＤを切り替えて探索信号を「チャンネル１」および「ＩＤ２」で送信する。この場合も、エリアコントローラ５００からの応答は無く、リモートコントローラ２００はタイムアウトにより（２）の処理を終了する。
（３）次に、リモートコントローラ２００はＩＤを切り替えて探索信号を「チャンネル２」および「ＩＤ１」で送信する。この場合も、エリアコントローラ５００からの応答は無く、リモートコントローラ２００はタイムアウトにより（３）の処理を終了する。
（４）次に、リモートコントローラ２００はチャンネルおよびＩＤを切り替えて探索信号を「チャンネル２」、「ＩＤ２」で送信する。
（５）このとき、エリアコントローラ５００は送信された探索信号のチャンネルおよびＩＤが自己のチャンネルおよびＩＤと一致するため探索信号に対して応答信号を送信する。リモートコントローラ２００はエリアコントローラ５００からの応答信号を受信し、探索信号の送信に使用した「チャンネル２」と「ＩＤ２」とを無線識別情報として設定し、探索画面８３１に探索結果として表示する。
【００４１】
リモートコントローラ２００はチャンネルおよびＩＤを「（チャンネル１、ＩＤ１）→（チャンネル１、ＩＤ２）→（チャンネル２、ＩＤ１）→・・・→（チャンネル１６、ＩＤ１）→（チャンネル１６、ＩＤ２）」というように「ＩＤ」→「チャンネル」の順に１つずつ切り替えながら探索信号を送信してエリアコントローラ５００のチャンネルおよびＩＤを探索する。切り替え順序は「（チャンネル１、ＩＤ１）→（チャンネル２、ＩＤ１）→・・・→（チャンネル１６、ＩＤ１）→（チャンネル１、ＩＤ２）→（チャンネル２、ＩＤ２）→・・・→（チャンネル１６、ＩＤ２）」というように「チャンネル」→「ＩＤ」の順でも構わない。また、リモートコントローラ２００はチャンネルおよびＩＤをそれぞれ、昇順ではなく、降順に切り替えても構わない。
いずれの探索信号に対してもエリアコントローラ５００から応答信号が得られない場合、リモートコントローラ２００は探索画面８３１に探索結果としてエラー表示を行う。
【００４２】
次に、図５に基づいて（Ａ）チャンネルとＩＤとを同時に探索する（ｂ）マニュアル探索方法について説明する。
利用者はリモートコントローラ２００を操作してチャンネルおよびＩＤを探索する探索画面８３１を表示し、リモートコントローラ２００は利用者の入力に応じて以下のようにエリアコントローラ５００のチャンネルおよびＩＤを探索する。
【００４３】
（１）利用者はリモートコントローラ２００の切替ボタン２０３（ＵＰボタン２０３ａ、ＤＯＷＮボタン２０３ｂ）を操作することによりチャンネルおよびＩＤを切り替える。リモートコントローラ２００は切替ボタン２０３からの入力に応じてチャンネルおよびＩＤを切り替えて探索画面８３１に表示する。ここで、利用者は切り替えにより「チャンネル１」および「ＩＤ１」を選択したものとする。チャンネルおよびＩＤを選択後、利用者はリモートコントローラ２００の受信ボタン２０２を押下する。受信ボタン２０２が押下された際、リモートコントローラ２００は選択された「チャンネル１」および「ＩＤ１」で探索信号を送信する。このとき、エリアコントローラ５００は送信された探索信号のチャンネルおよびＩＤが自己のチャンネルおよびＩＤと異なるため探索信号に対して応答しない。タイムアウト後、リモートコントローラ２００は探索画面８３１に探索結果としてＥＲＲ表示を行う。
（２）次に、利用者は「チャンネル１」および「ＩＤ２」を選択したものとする。リモートコントローラ２００は選択された「チャンネル１」および「ＩＤ２」で探索信号を送信する。この場合も、エリアコントローラ５００からの応答は無く、リモートコントローラ２００はＥＲＲ表示を行う。
（３）次に、利用者は「チャンネル２」および「ＩＤ１」を選択したものとする。リモートコントローラ２００は選択された「チャンネル２」および「ＩＤ１」で探索信号を送信する。この場合も、エリアコントローラ５００からの応答は無く、リモートコントローラ２００はＥＲＲ表示を行う。
（４）次に、利用者は「チャンネル２」および「ＩＤ２」を選択したものとする。リモートコントローラ２００は選択された「チャンネル２」および「ＩＤ２」で探索信号を送信する。
（５）このとき、エリアコントローラ５００は送信された探索信号のチャンネルおよびＩＤが自己のチャンネルおよびＩＤと一致するため探索信号に対して応答信号を送信する。リモートコントローラ２００はエリアコントローラ５００からの応答信号を受信し、探索信号の送信に使用した「チャンネル２」および「ＩＤ２」を無線識別情報として設定し、探索画面８３１に探索結果として表示する。
【００４４】
利用者はＵＰボタン２０３ａおよびＤＯＷＮボタン２０３ｂにより（チャンネル１、ＩＤ１）、（チャンネル１、ＩＤ２）、（チャンネル２、ＩＤ１）、・・・、（チャンネル１６、ＩＤ１）、（チャンネル１６、ＩＤ２）を昇順にも降順にも切り替えることができる。また、利用者はチャンネルおよびＩＤを任意の順番に選択して構わない。
【００４５】
次に、図６に基づいて（Ｂ）チャンネルを探索後にＩＤを探索する（ａ）自動探索方法について説明する。
利用者がリモートコントローラ２００を操作してチャンネルおよびＩＤを探索する探索画面８３１を表示して探索ボタン２０１を押下した際、リモートコントローラ２００は以下のようにしてエリアコントローラ５００のチャンネルおよびＩＤを探索する。
【００４６】
（１）まず、リモートコントローラ２００は探索信号を「チャンネル１」で送信する。このとき、エリアコントローラ５００は送信された探索信号のチャンネルが自己のチャンネルと異なるため探索信号に対して応答しない。所定の時間待って探索信号に対する応答が無い場合（タイムアウトした場合）、リモートコントローラ２００は（１）の処理を終了する。
（２）次に、リモートコントローラ２００はチャンネルを切り替えて探索信号を「チャンネル２」で送信する。
（３）このとき、エリアコントローラ５００は送信されたチャンネルが自己のチャンネルと一致するため探索信号に対して応答信号を送信する。リモートコントローラ２００はエリアコントローラ５００からの応答信号を受信する。
（４）次に、リモートコントローラ２００は探索信号を「チャンネル２」、「ＩＤ１」で送信する。探索信号のチャンネルは（３）において応答があった「チャンネル２」である。このとき、エリアコントローラ５００は送信された探索信号のＩＤが自己のＩＤと異なるため探索信号に対して応答しない。所定の時間待って探索信号に対する応答が無い場合（タイムアウトした場合）、リモートコントローラ２００は（４）の処理を終了する。
（５）次に、リモートコントローラ２００はＩＤを切り替えて探索信号を「チャンネル２」、「ＩＤ２」で送信する。
（６）このとき、エリアコントローラ５００は送信された探索信号のチャンネルおよびＩＤが自己のチャンネルおよびＩＤと一致するため探索信号に対して応答信号を送信する。リモートコントローラ２００はエリアコントローラ５００からの応答信号を受信し、探索信号の送信に使用した「チャンネル２」および「ＩＤ２」を無線識別情報として設定し、探索画面８３１に探索結果として表示する。
【００４７】
リモートコントローラ２００はチャンネルおよびＩＤをそれぞれ、昇順ではなく、降順に切り替えても構わない。
いずれの探索信号に対してもエリアコントローラ５００から応答信号が得られない場合、リモートコントローラ２００は探索画面８３１に探索結果としてＥＲＲ（エラー）表示を行う。
（３）で自己のチャンネルと一致したら、エリアコントローラ５００は自己のＩＤを合わせた応答信号を送信してもよい。そうすれば、リモートコントローラ２００がＩＤを切り替えて探索信号を送信しなくてもよい。
【００４８】
次に、図６に基づいて（Ｂ）チャンネルを探索後にＩＤを探索する（ｂ）マニュアル探索方法について説明する。
利用者はリモートコントローラ２００を操作してチャンネルおよびＩＤを探索する探索画面８３１を表示し、リモートコントローラ２００は利用者の入力に応じて以下のようにエリアコントローラ５００のチャンネルおよびＩＤを探索する。
【００４９】
（１）利用者はリモートコントローラ２００の切替ボタン２０３（ＵＰボタン２０３ａ、ＤＯＷＮボタン２０３ｂ）を操作することによりチャンネルを切り替える。リモートコントローラ２００は切替ボタン２０３からの入力に応じてチャンネルを切り替えて探索画面８３１に表示する。ここで、利用者は切り替えにより「チャンネル１」を選択したものとする。チャンネルを選択後、利用者はリモートコントローラ２００の受信ボタン２０２を押下する。受信ボタン２０２が押下された際、リモートコントローラ２００は選択された「チャンネル１」で探索信号を送信する。このとき、エリアコントローラ５００は送信された探索信号のチャンネルが自己のチャンネルと異なるため探索信号に対して応答しない。タイムアウト後、リモートコントローラ２００は探索画面８３１に探索結果としてＥＲＲ表示を行う。
（２）次に、利用者は「チャンネル２」を選択したものとする。リモートコントローラ２００は選択された「チャンネル２」で探索信号を送信する。
（３）このとき、エリアコントローラ５００は送信された探索信号のチャンネルが自己のチャンネルと一致するため探索信号に対して応答信号を送信する。リモートコントローラ２００はエリアコントローラ５００からの応答信号を受信し、探索信号の送信に使用した「チャンネル２」を探索結果として探索画面８３１に表示する。
（４）利用者はリモートコントローラ２００の切替ボタン２０３（ＵＰボタン２０３ａ、ＤＯＷＮボタン２０３ｂ）を操作することによりＩＤを切り替える。リモートコントローラ２００は切替ボタン２０３からの入力に応じてＩＤを切り替えて探索画面８３１に表示する。ここで、利用者は切り替えにより「ＩＤ１」を選択したものとする。ＩＤを選択後、利用者はリモートコントローラ２００の受信ボタン２０２を押下する。受信ボタン２０２が押下された際、リモートコントローラ２００は選択された「ＩＤ１」で探索信号を送信する。探索信号のチャンネルは（３）において応答があった「チャンネル２」である。このとき、エリアコントローラ５００は送信された探索信号のＩＤが自己のＩＤと異なるため探索信号に対して応答しない。タイムアウト後、リモートコントローラ２００は探索画面８３１に探索結果としてＥＲＲ表示を行う。
（５）次に、利用者は「ＩＤ２」を選択したものとする。リモートコントローラ２００は選択された「ＩＤ２」で探索信号を送信する。探索信号のチャンネルは（３）において応答があった「チャンネル２」である。
（６）このとき、エリアコントローラ５００は送信された探索信号のチャンネルおよびＩＤが自己のチャンネルおよびＩＤと一致するため探索信号に対して応答信号を送信する。リモートコントローラ２００はエリアコントローラ５００からの応答信号を受信し、探索信号の送信に使用した「チャンネル２」および「ＩＤ２」を無線識別情報として設定し、探索画面８３１に探索結果として表示する。
【００５０】
利用者はＵＰボタン２０３ａおよびＤＯＷＮボタン２０３ｂによりチャンネルおよびＩＤを昇順にも降順にも切り替えることができる。また、チャンネル、ＩＤの切り替えを同じ切替ボタン２０３で行わず、２つの切替ボタンで行っても構わない。
【００５１】
次に、（Ａ）チャンネルとＩＤとを同時に探索する（ａ）自動探索方法および（ｂ）マニュアル探索方法、また、（Ｂ）チャンネルを探索後にＩＤを探索する（ａ）自動探索方法および（ｂ）マニュアル探索方法について、リモートコントローラ２００の処理の流れを説明する。
【００５２】
図７は、実施の形態１におけるリモートコントローラ２００の自動探索処理を示すフローチャートの一例である。
まず、（Ａ）チャンネルとＩＤとを同時に探索する（ａ）自動探索方法におけるリモートコントローラ２００の処理の一例について、図７に基づいて説明する。
利用者により探索ボタン２０１が押下された場合、リモートコントローラ２００は以下のように自動探索処理を実行する。
【００５３】
まず、リモコン無線設定部２５１はチャンネル（ＣＨ）、ＩＤを初期化（ＣＨ←１、ＩＤ←１）する。「ＣＨ」、「ＩＤ」はそれぞれリモコン無線設定部２５１が切り替えて選択したチャンネル、ＩＤを示す（ステップ１１０）。
【００５４】
次に、リモコン無線設定部２５１はリモコン通信部２１０に選択したチャンネルおよびＩＤを用いて探索信号を送信させる。リモコン通信部２１０は選択されたチャンネルおよびＩＤを用いて探索信号を送信する。探索信号の送信後、リモコン通信部２１０は送信に使用したチャンネルおよびＩＤに対応する信号（応答信号）の受信を行う（ステップ１２０）。
【００５５】
次に、リモコン無線設定部２５１はリモコン通信部２１０がエリアコントローラ５００からの応答信号を所定のタイムアウト時間内に受信したか判定する（ステップ１３０）。
【００５６】
Ｓ１３０において応答信号の受信があったと判定した場合、リモコン無線設定部２５１は応答信号のチャンネルおよびＩＤを無線識別情報として設定する。「応答信号のチャンネルおよびＩＤ」とは選択されているチャンネルおよびＩＤのことであり、また、Ｓ１２０において最も新しく送信された探索信号のチャンネルおよびＩＤのことである（ステップ１３１）。
【００５７】
次に、リモコン無線設定部２５１は探索したＩＤがＩＤの最大値を示しているか判定する。この判定は、探索中のチャンネルに対して全ＩＤを組み合わせて探索信号を送信したか否かを意味する。「探索中のチャンネル」、「探索したＩＤ」とは選択されているチャンネル、ＩＤのことであり、また、Ｓ１２０において最も新しく送信された探索信号のチャンネル、ＩＤのことである（ステップ１４０）。
【００５８】
Ｓ１４０においてＩＤが最大値を示さないと判定した場合、リモコン無線設定部２５１はＩＤをインクリメント（ＩＤ←ＩＤ＋１）する。ＩＤのインクリメントはＩＤの切り替え（選択）を意味する。
そして、Ｓ１２０に処理を移し、切り替えたＩＤを用いて探索信号を送信し、Ｓ１３０以降の処理を実行する（ステップ１４１）。
【００５９】
Ｓ１４０においてＩＤが最大値を示すと判定した場合、リモコン無線設定部２５１はＩＤを初期化（ＩＤ←１）する（ステップ１４２）。
【００６０】
次に、リモコン無線設定部２５１は探索したチャンネルがチャンネルの最大値を示しているか判定する。この判定は、チャンネルとＩＤとの全組み合わせで探索信号を送信したか否かを意味する。「探索したチャンネル」とは選択されているチャンネルのことであり、また、Ｓ１２０において最も新しく送信された探索信号のチャンネルのことである（ステップ１５０）。
【００６１】
Ｓ１５０においてチャンネルが最大値を示さないと判定した場合、リモコン無線設定部２５１はチャンネルをインクリメント（ＣＨ←ＣＨ＋１）する。チャンネルのインクリメントはチャンネルの切り替え（選択）を意味する。
そして、Ｓ１２０に処理を移し、切り替えたＩＤを用いて探索信号を送信し、Ｓ１３０以降の処理を実行する（ステップ１５１）。
【００６２】
Ｓ１５０においてチャンネルが最大値を示すと判定した場合、リモコン無線設定部２５１はＳ１３１において設定されたチャンネルおよびＩＤの有無を判定する（ステップ１６０）。
【００６３】
Ｓ１６０において設定されたチャンネルおよびＩＤが有ると判定した場合、リモコン無線設定部２５１は設定されたチャンネルおよびＩＤを探索結果としてリモコン表示部２３０に表示させる。リモコン表示部２３０は探索結果をディスプレイに表示する（ステップ１６１）。
【００６４】
Ｓ１６０において設定されたチャンネルおよびＩＤが無いと判定した場合、リモコン無線設定部２５１はエラー情報を無線識別情報として設定し、リモコン表示部２３０に探索結果としてエラー表示させる。リモコン表示部２３０は探索エラーをディスプレイに表示する（ステップ１６２）。
【００６５】
以上の処理において、リモコン無線設定部２５１は各判定をＣＰＵを用いて行い、リモコン通信部２１０は探索信号の送信、応答信号の受信を通信機器を用いて行う。また、「初期化」、「インクリメント」されたチャンネルおよびＩＤは記憶機器９２０に記憶され、各判定や送受信に用いられる。また、設定されたチャンネルおよびＩＤは記憶機器９２０に記憶される。これらは、以下において説明する各フローチャートの処理においても同様である。
【００６６】
図８は、実施の形態１におけるリモコン２００のマニュアル探索処理を示すフローチャートの一例である。
（Ａ）チャンネルとＩＤとを同時に探索する（ｂ）マニュアル探索方法におけるリモートコントローラ２００の処理の一例について、図８に基づいて以下に説明する。
利用者の入力に応じて、リモコン２００は以下のようにマニュアル探索処理を実行する。
【００６７】
ここで、利用者により受信ボタン２０２または切替ボタン２０３が押下されたものとする。リモコン入力部２２０は受信ボタン２０２または切替ボタン２０３からの入力を検出する（ステップ２１０）。
【００６８】
Ｓ２１０においてリモコン入力部２２０が切替ボタン２０３からの入力を検出した場合、リモコン無線設定部２５１はチャンネル（ＣＨ）、ＩＤを切替ボタン２０３からの入力に応じて切り替えて更新する。リモコン表示部２３０は更新されたチャンネルおよびＩＤをディスプレイに表示する。「ＣＨ」、「ＩＤ」はそれぞれ利用者の選択によりリモコン無線設定部２５１が切り替えたチャンネル、ＩＤを示す。
そして、Ｓ２１０に処理を移し、利用者からの新たな入力を待つ（ステップ２２０）。
【００６９】
Ｓ２１０においてリモコン入力部２２０が受信ボタン２０２からの入力を検出した場合、リモコン通信部２１０は選択されているチャンネルおよびＩＤを用いて探索信号を送信する。探索信号の送信後、リモコン通信部２１０は送信に使用したチャンネルおよびＩＤに対応する信号（応答信号）の受信を行う（ステップ２３０）。
【００７０】
次に、リモコン無線設定部２５１はリモコン通信部２１０がエリアコントローラ５００からの応答信号を所定のタイムアウト時間内に受信したか判定する（ステップ２４０）。
【００７１】
Ｓ２４０においてリモコン無線設定部２５１が応答信号の受信があったと判定した場合、リモコン無線設定部２５１は応答信号のチャンネルおよびＩＤを無線識別情報として設定し、設定したチャンネルおよびＩＤを探索結果としてリモコン表示部２３０に表示させる。リモコン表示部２３０は探索結果をディスプレイに表示する。「応答信号のチャンネルおよびＩＤ」とは選択されているチャンネルおよびＩＤのことであり、また、Ｓ２３０において最も新しく送信された探索信号のチャンネルおよびＩＤのことである（ステップ２４１）。
【００７２】
Ｓ２４０においてリモコン無線設定部２５１が応答信号の受信がなかったと判定した場合、リモコン無線設定部２５１はリモコン表示部２３０に探索結果としてエラー表示させる。リモコン表示部２３０は探索エラーをディスプレイに表示する。エラー表示した後は、例えば、約１秒後にＥＲＲ表示を消灯すると、ＣＨやＩＤ表示を行えるので都合がよい（ステップ２４２）。
【００７３】
図９は、実施の形態１におけるリモートコントローラ２００の自動探索処理を示すフローチャートの一例である。
（Ｂ）チャンネルを探索後にＩＤを探索する（ａ）自動探索方法におけるリモートコントローラ２００の処理の一例について、図９に基づいて以下に説明する。
利用者により探索ボタン２０１が押下された場合、リモートコントローラ２００は以下のように自動探索処理を実行する。
【００７４】
まず、リモコン無線設定部２５１はチャンネル（ＣＨ）、ＩＤを初期化（ＣＨ←１、ＩＤ←１）する。「ＣＨ」、「ＩＤ」はそれぞれリモコン無線設定部２５１が切り替えて選択したチャンネル、ＩＤを示す（ステップ３１０）。
【００７５】
次に、リモコン無線設定部２５１はリモコン通信部２１０に選択したチャンネルを用いて探索信号を送信させる。リモコン通信部２１０は選択されたチャンネルを用いて探索信号を送信する。このとき、リモコン通信部２１０は探索信号にＩＤを設定しない。探索信号の送信後、リモコン通信部２１０は送信に使用したチャンネルの信号（応答信号）を受信する（ステップ３２０）。
【００７６】
次に、リモコン無線設定部２５１はリモコン通信部２１０がエリアコントローラ５００からの応答信号を所定のタイムアウト時間内に受信したか判定する（ステップ３３０）。
【００７７】
Ｓ３３０においてリモコン無線設定部２５１が応答信号の受信があったと判定した場合、リモコン無線設定部２５１はリモコン通信部２１０に探索したチャンネルおよび選択したＩＤを用いて探索信号を送信させる。リモコン通信部２１０は探索されたチャンネルおよび選択されているＩＤを用いて探索信号を送信する。「探索されたチャンネル」とは選択されているチャンネルのことであり、また、Ｓ３２０において最も新しく送信された探索信号のチャンネルのことである。探索信号の送信後、リモコン通信部２１０は送信に使用したチャンネルおよびＩＤに対応する信号（応答信号）の受信を行う（ステップ３４０）。
【００７８】
次に、リモコン無線設定部２５１はリモコン通信部２１０がエリアコントローラ５００からの応答信号を所定のタイムアウト時間内に受信したか判定する（ステップ３５０）。
【００７９】
Ｓ３５０において応答信号の受信があったと判定した場合、リモコン無線設定部２５１は応答信号のチャンネルおよびＩＤを無線識別情報として設定する。「応答信号のチャンネルおよびＩＤ」とは選択されているチャンネルおよびＩＤのことであり、また、Ｓ３５０において最も新しく送信された探索信号のチャンネルおよびＩＤのことである（ステップ３５１）。
【００８０】
Ｓ３５０において応答信号の受信がなかったと判定した場合、または、Ｓ３５１においてチャンネルおよびＩＤを設定後、リモコン無線設定部２５１は探索したＩＤがＩＤの最大値を示しているか判定する。この判定は、探索されたチャンネルに対して全ＩＤを組み合わせて探索信号を送信したか否かを意味する。「探索したＩＤ」とは選択されているＩＤのことであり、また、Ｓ３５０において最も新しく送信された探索信号のＩＤのことである（ステップ３６０）。
【００８１】
Ｓ３６０においてＩＤが最大値を示さないと判定した場合、リモコン無線設定部２５１はＩＤをインクリメント（ＩＤ←ＩＤ＋１）する。ＩＤのインクリメントはＩＤの切り替え（選択）を意味する。
そして、Ｓ３４０に処理を移し、切り替えたＩＤを用いて探索信号を送信し、Ｓ３５０以降の処理を実行する（ステップ３６１）。
【００８２】
Ｓ３６０においてＩＤが最大値を示すと判定した場合、リモコン無線設定部２５１はＩＤを初期化（ＩＤ←１）する（ステップ３６２）。
【００８３】
Ｓ３３０において応答信号の受信がなかったと判定した場合、または、Ｓ３６２においてＩＤを初期化した後、リモコン無線設定部２５１は探索したチャンネルがチャンネルの最大値を示しているか判定する。この判定は、全チャンネルで探索信号を送信したか否かを意味する。「探索したチャンネル」とは現在のチャンネルのことであり、また、Ｓ３２０において最も新しく送信した探索信号のチャンネルのことである（ステップ３７０）。
【００８４】
Ｓ３７０においてチャンネルが最大値を示さないと判定した場合、リモコン無線設定部２５１はチャンネルをインクリメント（ＣＨ←ＣＨ＋１）する。チャンネルのインクリメントはチャンネルの切り替え（選択）を意味する。
そして、Ｓ３２０に処理を移し、切り替えたチャンネルを用いて探索信号を送信し、Ｓ３３０以降の処理を実行する（ステップ３７１）。
【００８５】
Ｓ３７０においてチャンネルが最大値を示すと判定した場合、リモコン無線設定部２５１はＳ３５１において設定されたチャンネルおよびＩＤの有無を判定する（ステップ３８０）。
【００８６】
Ｓ３８０において設定されたチャンネルおよびＩＤが有ると判定した場合、リモコン無線設定部２５１は設定されたチャンネルおよびＩＤを探索結果としてリモコン表示部２３０に表示させる。リモコン表示部２３０は探索結果をディスプレイに表示する（ステップ３８１）。
【００８７】
Ｓ３８０において設定されたチャンネルおよびＩＤが無いと判定した場合、リモコン無線設定部２５１はエラー情報を無線識別情報として設定し、リモコン表示部２３０に探索結果としてエラー表示させる。リモコン表示部２３０は探索エラーをディスプレイに表示する（ステップ３８２）。
【００８８】
図１０は、実施の形態１におけるリモートコントローラ２００のマニュアル探索処理を示すフローチャートの一例である。
（Ｂ）チャンネルを探索後にＩＤを探索する（ｂ）マニュアル探索方法におけるリモートコントローラ２００の処理の一例について、図１０に基づいて以下に説明する。
利用者の入力に応じて、リモートコントローラ２００は以下のようにマニュアル探索処理を実行する。
【００８９】
ここで、利用者により受信ボタン２０２または切替ボタン２０３が押下されたものとする。リモコン入力部２２０は受信ボタン２０２または切替ボタン２０３からの入力を検出する（ステップ４１０）。
【００９０】
Ｓ４１０においてリモコン入力部２２０が切替ボタン２０３からの入力を検出した場合、リモコン無線設定部２５１はチャンネル（ＣＨ）を切替ボタン２０３からの入力に応じて切り替えて更新する。リモコン表示部２３０は更新されたチャンネルをディスプレイに表示する。「ＣＨ」は利用者の選択によりリモコン無線設定部２５１が切り替えたチャンネルを示す。
そして、Ｓ４１０に処理を移し、利用者からの新たな入力を待つ（ステップ４２０）。
そして、Ｓ４１０に処理を移し、利用者からの新たな入力を待つ（ステップ４２０）。
【００９１】
Ｓ４１０においてリモコン入力部２２０が受信ボタン２０２からの入力を検出した場合、リモコン通信部２１０は選択されているチャンネルを用いて探索信号を送信する。探索信号の送信後、リモコン通信部２１０は送信に使用したチャンネルの信号（応答信号）を受信する（ステップ４３０）。
【００９２】
次に、リモコン無線設定部２５１はリモコン通信部２１０がエリアコントローラ５００からの応答信号を所定のタイムアウト時間内に受信したか判定する（ステップ４４０）。
【００９３】
Ｓ４４０において応答信号の受信があったと判定した場合、リモコン無線設定部２５１は応答信号のチャンネルを探索結果としてリモコン表示部２３０に表示させる。リモコン表示部２３０は探索結果をディスプレイに表示する。「応答信号のチャンネル」とは選択されているチャンネルのことであり、また、Ｓ４３０において最も新しく送信された探索信号のチャンネルのことである（ステップ４４１）。
【００９４】
次に、利用者からの新たな入力を待ち、リモコン入力部２２０は受信ボタン２０２または切替ボタン２０３からの入力を検出する（ステップ４５０）。
【００９５】
Ｓ４５０においてリモコン入力部２２０が切替ボタン２０３からの入力を検出した場合、リモコン無線設定部２５１はＩＤを切替ボタン２０３からの入力に応じて切り替えて更新する。リモコン表示部２３０は更新されたＩＤをディスプレイに表示する。「ＩＤ」は利用者の選択によりリモコン無線設定部２５１が切り替えたＩＤを示す（ステップ４６０）。
そして、Ｓ４５０に処理を移し、利用者からの新たな入力を待つ。
【００９６】
Ｓ４５０においてリモコン入力部２２０が受信ボタン２０２からの入力を検出した場合、リモコン通信部２１０は探索されたチャンネルおよび選択されたＩＤを用いて探索信号を送信する。「探索されたチャンネル」とは選択されているチャンネルのことであり、また、Ｓ４３０において最も新しく送信された探索信号のチャンネルのことである。探索信号の送信後、リモコン通信部２１０は送信に使用したチャンネルおよびＩＤに対応する信号（応答信号）の受信を行う（ステップ４７０）。
【００９７】
次に、リモコン無線設定部２５１はリモコン通信部２１０がエリアコントローラ５００からの応答信号を所定のタイムアウト時間内に受信したか判定する（ステップ４８０）。
【００９８】
Ｓ４８０において応答信号の受信があったと判定した場合、リモコン無線設定部２５１は応答信号のチャンネルおよびＩＤを無線識別情報として設定し、設定したチャンネルおよびＩＤを探索結果としてリモコン表示部２３０に表示させる。リモコン表示部２３０は探索結果をディスプレイに表示する。「応答信号のチャンネルおよびＩＤ」とは選択されているチャンネルおよびＩＤのことであり、また、Ｓ４７０において最も新しく送信された探索信号のチャンネルおよびＩＤのことである（ステップ４８１）。
【００９９】
Ｓ４８０において応答信号の受信がなかったと判定した場合、リモコン無線設定部２５１はリモコン表示部２３０に探索結果としてエラー表示させる。リモコン表示部２３０は探索エラーをディスプレイに表示する（ステップ４８２）。
そして、Ｓ４５０に処理を移し、利用者からの新たな入力を待つ。
【０１００】
Ｓ４４０において応答信号の受信がなかったと判定した場合、リモコン無線設定部２５１はリモコン表示部２３０に探索結果としてエラー表示させる。リモコン表示部２３０は探索エラーをディスプレイに表示する（ステップ４８３）。
【０１０１】
リモートコントローラ２００が（Ｂ）チャンネルを探索後にＩＤを探索することにより、使用されていないチャンネルに対する余計な探索処理を減らし、探索時間を短縮することができる。
【０１０２】
図１１は、実施の形態１におけるエリアコントローラ５００の応答処理の一例を示すフローチャートである。
チャンネルおよびＩＤに対する上記の各探索方法において、エリアコントローラ５００は以下のようにして探索信号に対して応答信号を送信する。エリアコントローラ５００には無線通信に使用する自己のチャンネルおよびＩＤが予め設定されているものとする。
【０１０３】
コントローラ通信部５２０は自己のチャンネルで送信された信号（探索信号）を通信機器を用いて受信する（ステップ５１０）。
【０１０４】
＜Ｓ５２０＞
コントローラ通信部５２０は受信した探索信号にＩＤが設定されているかＣＰＵを用いて判定する（ステップ５２０）。
【０１０５】
Ｓ５２０において探索信号にＩＤが設定されていると判定した場合、コントローラ通信部５２０は設定されているＩＤが自己のＩＤと一致するかＣＰＵを用いて判定する（ステップ５３０）。
【０１０６】
Ｓ５２０において探索信号にＩＤが設定されていないと判定した場合、または、Ｓ５３０においてＩＤが一致すると判定した場合、コントローラ通信部５２０は応答信号を通信機器を用いて送信する。このとき、コントローラ通信部５２０は自己のチャンネルおよびＩＤを使用する（ステップ５４０）。
【０１０７】
Ｓ５３０においてＩＤが一致しないと判定した場合、コントローラ通信部５２０は処理を終了する。
【０１０８】
図１２〜図１６は、実施の形態１における複数の照明制御システム８００とリモートコントローラ２００に設定された無線識別情報との関係を示す図である。
図１２〜図１６の照明制御システムＡ８０１、照明制御システムＢ８０２および照明制御システムＣ８０３は図２で説明した照明制御システムＡ８０１、照明制御システムＢ８０２および照明制御システムＣ８０３と同じである。
ここで、各照明制御システム８００で使用されるチャンネルおよびＩＤは、照明制御システムＡ８０１では「チャンネル１」、「ＩＤ１」、照明制御システムＢ８０２では「チャンネル１」、「ＩＤ２」、照明制御システムＣ８０３では「チャンネル２」、「ＩＤ１」とする。
【０１０９】
図１２〜図１６のように複数の照明制御システム８００が共存する場合、チャンネルおよびＩＤに対する上記の各探索処理により、リモートコントローラ２００には複数のチャンネルおよびＩＤが記憶される。
リモートコントローラ２００に複数のチャンネルおよびＩＤが記憶された場合において、特定の照明制御システム８００に対して設定されているチャンネルおよびＩＤを特定する方法について、図１２〜図１６に基づいて以下に説明する。
【０１１０】
図１２において、リモートコントローラ２００は、チャンネルおよびＩＤに対する各探索処理により、照明制御システムＡ８０１のエリアコントローラ５００ａ、照明制御システムＢ８０２のエリアコントローラ５００ｂおよび照明制御システムＣ８０３のエリアコントローラ５００ｃのそれぞれから応答信号を受信し、それぞれのチャンネルおよびＩＤを設定して探索画面８３１に一覧表示する。
【０１１１】
図１３において、利用者はリモートコントローラ２００の切替ボタン２０３を操作して探索画面８３１から１つのチャンネルおよびＩＤを選択し、送信ボタン２０４を押下する。ここで、利用者は「チャンネル１」および「ＩＤ１」を選択したものとする。
送信ボタン２０４が押下されたリモートコントローラ２００は、選択された「チャンネル１」および「ＩＤ１」を用いて選択信号を送信する。
このとき、チャンネルおよびＩＤが一致する照明制御システムＡ８０１のエリアコントローラ５００ａのみが選択信号を受け付ける。選択信号を受け付けたエリアコントローラ５００ａは通信ユニット１００ａおよび通信ユニット１００ｂを介して照明器具３００ａ〜照明器具３００ｎを全光点灯、点滅または調光点灯させる。また、エリアコントローラ５００ａは通信ユニット１００ａおよび通信ユニット１００ｂのＬＥＤを点灯または点滅させる。また、エリアコントローラ５００ａは自己のＬＥＤを点灯または点滅させる。
【０１１２】
同様に、図１４において、利用者が「チャンネル１」および「ＩＤ２」を選択した場合、照明器具３００ｏ〜照明器具３００ｒが全光点灯、点滅または調光点灯し、エリアコントローラ５００ｂおよび通信ユニット１００ｃのＬＥＤが点灯または点滅する。
また、図１５において、利用者が「チャンネル２」および「ＩＤ１」を選択した場合、照明器具３００ｓ〜照明器具３００ｘが全光点灯、点滅または調光点灯し、エリアコントローラ５００ｃおよび通信ユニット１００ｄのＬＥＤが点灯または点滅する。
【０１１３】
例えば、照明制御システムＣ８０３に照明制御ユニットｅ８１５を追加する場合、利用者は照明制御システムＣ８０３の各器具が点灯していることを確認して照明制御システムＣ８０３のチャンネルおよびＩＤを特定することができる。また、利用者は、決定ボタン２０５を押下して、照明制御システムＣ８０３のチャンネルおよびＩＤを各種設定および操作の対象とするチャンネルおよびＩＤとしてリモートコントローラ２００に設定することができる。
【０１１４】
つまり、実施の形態１におけるチャンネルＩＤ探索方法では、送信した選択信号のチャンネルおよびＩＤに対応する照明制御システム８００の各器具が光源を全光点灯、点滅または調光点灯することにより、所望の照明制御システム８００のチャンネルおよびＩＤを特定することができる。
また、エリアコントローラ５００はチャンネルおよびＩＤに対する上記の各探索処理において応答信号を送信する際に各器具の光源を全光点灯、点滅または調光点灯させてもよい。
【０１１５】
図１２〜図１５では、リモートコントローラ２００が探索画面８３１にチャンネルおよびＩＤを昇順に表示する例を示したが、エリアコントローラ５００からの応答信号の信号レベルの大きい順（電波の強い順）に表示してもよい。この場合、リモートコントローラ２００のリモコン通信部２１０は、チャンネルおよびＩＤに対する各探索処理において、応答信号を受信した際にチャンネルおよびＩＤに対応付けて応答信号の信号レベルを記憶しておき、設定した複数のチャンネルおよびＩＤを信号レベルの大きい順に並べ替えて表示する。
利用者はチャンネルおよびＩＤを特定したい所望のエリアコントローラ５００の近くでリモートコントローラ２００を用いて探索を行うことにより、近くに位置する所望のエリアコントローラ５００からの応答信号が最も大きな信号レベルで受信されるため、所望のエリアコントローラ５００のチャンネルおよびＩＤを探索画面８３１の先頭（または、上位）に表示させることができる。例えば、照明制御システムＣ８０３に照明制御ユニットｅ８１５を追加する場合、利用者は照明制御システムＣ８０３のエリア内（または、近く）でリモートコントローラ２００を用いて探索を行えば、図１６に示すように照明制御システムＣ８０３のエリアコントローラ５００ｃのチャンネルおよびＩＤを探索画面８３１の先頭（または、上位）に表示させることができる。そして、利用者は探索画面８３１に表示されたチャンネルおよびＩＤを先頭から選択することにより、１回の選択（または、少ない選択数）で上記のように光源の点灯または点滅を確認でき、追加する通信ユニット１００ｅに設定すべきエリアコントローラ５００ｃのチャンネルおよびＩＤを特定することができる。
【０１１６】
また、チャンネルおよびＩＤに対する上記の各探索処理において、リモートコントローラ２００とエリアコントローラ５００とは探索信号および応答信号をＬＥＤ送受信装置を用いて赤外線通信してもよい。赤外線通信は電波を用いた通信に比べて通信距離が短く、指向性（直進性）が高いため信号の伝搬範囲が狭い。また、赤外線通信には１つの共通のチャンネルが用いられる。
そこで、利用者は、上記のように所望のエリアコントローラ５００の近くからリモートコントローラ２００を用いて探索を行うことにより、所望のエリアコントローラ５００からのみ応答信号を受信し、チャンネルおよびＩＤを特定することができる。
リモートコントローラ２００とエリアコントローラ５００とが探索信号および応答信号を赤外線通信する場合、応答信号は１つのエリアコントローラ５００からしか送信されないため、上記の各自動探索処理において、リモートコントローラ２００は応答信号を受信してチャンネルおよびＩＤを１組設定した時点で、他のチャンネルおよびＩＤの探索を行わずに自動探索処理を終了してもよい。
また、チャンネルおよびＩＤに対する上記の各探索処理のようにリモートコントローラ２００が選択されたチャンネルおよびＩＤで探索信号を送信するのではなく、リモートコントローラ２００がチャンネルおよびＩＤを指定（設定）せずに探索信号を赤外線送信し、エリアコントローラ５００が自己のチャンネルおよびＩＤを指定（設定）した応答信号を赤外線送信してもよい。
【０１１７】
こうして、リモートコントローラ２００はエリアコントローラ５００が使用しているチャンネルおよびＩＤを特定することができ、特定したチャンネルおよびＩＤを用いてシステム設定情報をエリアコントローラ５００に無線送信することができる。
また、新設または増設する通信ユニット１００に対してチャンネルおよびＩＤの設定を天井８２２への設置前に行うことができる。そして、チャンネルおよびＩＤが設定された通信ユニット１００は天井８２２に設置され、既設のエリアコントローラ５００と無線通信を行う。
【０１１８】
次に、通信ユニット１００を天井８２２に設置するために、エリアコントローラ５００から届く無線の信号レベルを探索する「信号レベル探索方法」およびエリアコントローラ５００からの無線が届く距離を探索する「無線距離探索方法」について説明する。
【０１１９】
図１７、図１８は、実施の形態１における信号レベル探索方法および無線距離探索方法を示す図である。
図１９は、実施の形態１における信号レベル画面８３２を示す図である。
（１）図１７に示すように、利用者はリモートコントローラ２００を操作してエリアコントローラ５００の無線通信可能範囲を探索する信号レベル画面８３２を表示し、通信ユニット１００を設置する予定の箇所（天井８２２）の付近にリモートコントローラ２００を位置させる。リモートコントローラ２００には特定された１つのチャンネルおよびＩＤが設定（または選択）されているものとする。
（２）次に、利用者はリモートコントローラ２００の受信ボタン２０２を押下して探索信号を送信する。このとき、リモートコントローラ２００では、リモコン通信部２１０が設定されているチャンネルおよびＩＤで探索信号を送信する。
（３）エリアコントローラ５００では、コントローラ通信部５２０が探索信号を受信し、応答信号を送信する。
（４）リモートコントローラ２００では、リモコン通信部２１０が応答信号を受信し、リモコン無線レベル計測部２５２が応答信号の電波強度を信号レベルとして数値化し、リモコン表示部２３０が信号レベルを信号レベル画面８３２に表示する。例えば、リモコン無線レベル計測部２５２は所定の区分（セグメント）に応じて応答信号の電波強度を０〜２５５の信号レベルで数値化し、リモコン表示部２３０は信号レベルを図１９の左上の信号レベル画面８３２に示すように数値表示したり、図１９の右上の信号レベル画面８３２に示すようにバー表示したりする。応答信号が無い場合、リモコン表示部２３０は図１９の左下の信号レベル画面８３２に示すようにエラー表示する。
実施の形態１における照明制御システム８００では信号レベルを定量的に表示するため、利用者は通信ユニット１００を設置する前に通信品質に問題が生じないかを判断でき、天井８２２に通信ユニット１００を設置するための穴を無駄に開けてしまうことが無くなる。
【０１２０】
信号レベルをバー表示させる各バーのレベル（例えば、レベル１〜レベル４の４段階）は図１９の右上に示すように均等割りした範囲が設定されてもよいし、レベル毎に異なる範囲が設定されてもよい。また、０ではない信号レベルを無線通信不可を意味するレベル０の範囲に含めてもよい。つまり、レベル０にマージンを設けてもよい。そして、レベル０の場合にエラー表示を行ってもよい。
例えば、レベル０の範囲を「０〜２０」、レベル１（信号レベル微弱）の範囲を「２１〜１００」、レベル２（信号レベル小）の範囲を「１０１〜１５０」、レベル３（信号レベル中）の範囲を「１５１〜２００」、レベル４（信号レベル大）の範囲を「２０１〜２５５」に設定するとよい。
この設定は、レベル０に「１〜２０」のマージンが設定されていることによりレベル１以上であれば通信品質をある程度保証することができる。また、無線通信が可能なレベル１〜４の中で一番低いレベル１の範囲幅（８０）がレベル２〜レベル４の範囲幅（５０または５５）より大きいことによりレベル１の表示される頻度が多くなる。また、レベル１で通信ユニット１００が設置されることはあまり無いと思われる。このため、このような設定により、レベル２〜レベル４の位置に設置されるであろう通信ユニット１００にはより高い通信品質が確保される。
【０１２１】
また、応答信号の電波強度に対応する信号レベル（セグメント）は、実際に設置される通信ユニット１００と信号レベルの計測を行うリモートコントローラ２００とに対して電界強度の特性や受信感度の特性について相関を取って定められているとよい。電界強度の特性や受信感度の特性は筐体の材質や厚さの違いにより異なる。
また、応答信号の電波強度に対応する信号レベルは、通信ユニット１００が設置される設置環境における電界強度の特性に応じて定められているとよい。電界強度の特性は設置される天井８２２の材質や厚さ、設置される部屋のパーテーションの材質や厚さなどの電波を減衰させる各種パラメータにより変化する。
応答信号の電波強度に対応する信号レベルは、対応表や換算値として、予め１つ設定されていても構わないし、予め複数設定され利用者により選択されても構わないし、また、利用者からの直接入力により設定されても構わない。
【０１２２】
また、エリアコントローラ５００は探索信号を受信時にリモートコントローラ２００と同様に信号レベルを計測し、計測した信号レベルに応じて自己のＬＥＤや制御している既設の照明器具３００を全光点灯、調光点灯、点滅または消灯させてもよい。
例えば、エリアコントローラ５００はレベル４の場合に緑色のＬＥＤを点灯させ、レベル３の場合に黄色のＬＥＤを点灯させ、レベル２の場合に赤色のＬＥＤを点灯させ、レベル１の場合に赤色のＬＥＤを点滅させ、レベル０の場合に全てのＬＥＤを消灯させる。また例えば、エリアコントローラ５００はレベル４の場合に照明器具３００を全光点灯（１００％点灯）させ、レベル３の場合に照明器具３００を調光点灯（例えば、７０％点灯）させ、レベル２の場合に照明器具３００を下限点灯（例えば、３０％点灯）させ、レベル０の場合に照明器具３００を消灯させる。もちろん、照明器具３００の点灯状態はレベル４のとき消灯、レベル１のとき点灯のように、信号レベルと反対にしてもよい。
これにより、利用者はエリアコントローラ５００から通信ユニット１００に送信される信号の信号レベルだけでなく、通信ユニット１００からエリアコントローラ５００に送信される信号の信号レベルも知ることができる。つまり、利用者はエリアコントローラ５００と通信ユニット１００との送受信の信号レベルを通信ユニット１００の設置前に知り、通信品質が安定する箇所に通信ユニット１００を設置することができる。
【０１２３】
利用者は表示された信号レベルに基づいてエリアコントローラ５００、通信ユニット１００またはリモートコントローラ２００の電波強度を増減させて設定しても構わない。例えば、エリアコントローラ５００、通信ユニット１００およびリモートコントローラ２００の電波強度を通信可能な程度に低く設定することにより、限られた範囲でだけで無線通信が行われ、他の照明制御システム８００との混信や送信電波による電子機器に対する悪影響を防ぐことができる。また、消費電力を低減することもできる。
【０１２４】
また、リモートコントローラ２００は信号レベルに応じて振動してもよい。例えば、リモコン無線レベル計測部２５２は信号レベルが大きいほどバイブレータを大きく振動させる。
また、リモートコントローラ２００は信号レベルに応じて音を出力してもよい。例えば、リモコン無線レベル計測部２５２は信号レベルが大きいほどスピーカから大きな音を出力させる。
これにより、利用者は信号レベル画面８３２を確認しなくても信号レベルを知ることができ、移動しながら連続して信号レベルの計測を行うことが容易になる。
【０１２５】
また、リモコン無線距離計測部２５３が、応答信号の電波強度（または、信号レベル）に基づいて、現在のリモートコントローラ２００の位置を基準にしてエリアコントローラ５００からさらに離れることが可能な延長可能距離を算出し、リモコン表示部２３０が延長可能距離を図１９の右下の信号レベル画面８３２に示すように表示してもよい。例えば、リモコン無線距離計測部２５３は基準となる電波強度に対応する所定の距離に基づいて応答信号の電波強度に対応する距離を延長可能距離として算出する。延長可能距離の算出時、リモコン無線距離計測部２５３は電波強度を距離の二乗に反比例させる（一般的に電波強度は距離の二乗に反比例するため）。
図１８において、利用者は位置Ａでリモートコントローラ２００を用いて延長可能距離を計測することで、エリアコントローラ５００との無線通信が可能なより離れた位置Ｂを特定することができる。つまり、各方向においてリモートコントローラ２００を用いて延長可能距離を計測することにより、利用者はエリアコントローラ５００の無線通信可能範囲を特定することができる。位置Ｂは位置Ａからエリアコントローラ５００との反対方向に延長可能距離内で離れた位置である。
また、利用者はエリアコントローラ５００の設置位置にリモートコントローラ２００を配して延長可能距離を計測することで、エリアコントローラ５００の無線通信距離を知ることができる。
【０１２６】
また、リモコン無線距離計測部２５３は２箇所での応答信号の電波強度に基づいて応答信号を受信した２点間の距離を算出し、リモコン表示部２３０に表示させてもよい。この場合、リモコン無線距離計測部２５３は２箇所それぞれで算出した延長可能距離の差を２点間の距離として算出しても構わないし、２箇所での応答信号の電波強度の差に応じた距離を２点間の距離として算出しても構わない。
例えば、エリアコントローラ５００の設置位置と任意の位置とのそれぞれにおいてにリモートコントローラ２００を配して延長可能距離を計測することにより、利用者は計測を行った任意の位置がエリアコントローラ５００からどの程度離れているかを知ることができる。
【０１２７】
実施の形態２．
図２０は、実施の形態２におけるチャンネルＩＤ探索方法、信号レベル探索方法および無線距離探索方法を示す図である。
パソコン６００が「チャンネルＩＤ探索機能」、「信号レベル探索機能」および「無線距離探索機能」を有する形態について、図２０に基づいて以下に説明する。
【０１２８】
パソコン６００はリモートコントローラ２００に比べてディスプレイの画面サイズが大きいため、探索したチャンネルおよびＩＤ、信号レベルおよび延長可能距離を表示するのにより適している。また、パソコン６００はキーボード、マウス、タッチパネル、音声入力など多様な入力機能を有しているので操作性も高い。
但し、パソコン６００はリモートコントローラ２００に比べてサイズが大きく、重量が重いため可動性に劣る。
【０１２９】
そこで、図２０に示すように、無線通信用のアンテナアダプタ６１０と情報表示用および情報入力用のパソコン６００とを組み合わせることにより、高い可動性を確保すると共に高い表示性および高い操作性を得ることができる。アンテナアダプタ６１０で受信された信号の情報はシリアル通信ケーブル６０１を介してパソコン６００に送信され、パソコン６００から入力された情報はシリアル通信ケーブル６０１を介してアンテナアダプタ６１０に送信され信号として無線送信される。パソコン６００とアンテナアダプタ６１０とはＵＳＢで接続して通信しても構わない。
【０１３０】
アンテナアダプタ６１０は無線通信が行えればよいため小型および軽量にすることができる。例えば、図２０に示すように、アンテナアダプタ６１０はアンテナ６１１、ＲＦ回路６１２、データ解析部６１３、シリアル変換回路６１４で構成される。ＲＦ回路６１２はアンテナ６１１を介して所定のチャンネルで無線通信する。シリアル変換回路６１４はシリアル通信用のインタフェース回路である。データ解析部６１３は無線通信またはシリアル通信された信号をＣＰＵを用いてデータとして処理する。
【０１３１】
パソコン６００はアンテナアダプタ６１０を介して探索信号の送信や応答信号の受信を行う。
パソコン６００の機能構成は、実施の形態１におけるリモートコントローラ２００と同様である。つまり、パソコン６００はリモコン通信部２１０に相当する「パソコン通信部」、リモコン入力部２２０に相当する「パソコン入力部」、リモコン表示部２３０に相当する「パソコン表示部」、リモコン設定部２４０に相当する「パソコン設定部」、リモコン探索部２５０に相当する「パソコン探索部（パソコン無線設定部、パソコン無線レベル計測部、パソコン無線距離計測部）」、リモコン記憶部２９０に相当する「パソコン記憶部」を備える。
または、実施の形態１におけるリモートコントローラ２００のリモコン探索部２５０に相当する機能はパソコン６００ではなくアンテナアダプタ６１０に設けてもよい。
【０１３２】
また、図２０に示すように、パソコン６００とアンテナアダプタ６１０とはシリアル通信ではなく電波や赤外線を用いた無線通信で通信接続してもよい。パソコン６００とアンテナアダプタ６１０とが無線通信接続することにより、アンテナアダプタ６１０の可動性をより高めることできる。
この場合、アンテナアダプタ６１０はシリアル変換回路６１４の代わりにＲＦ回路６１５とアンテナ６１６とを備える。
【０１３３】
実施の形態３．
実施の形態３では設置対象である通信ユニット１００が実施の形態１におけるリモートコントローラ２００と同様な機能構成を有し、実施の形態１におけるリモートコントローラ２００と同様にチャンネルおよびＩＤの探索と信号レベルおよび延長可能距離の計測を行う。
つまり、通信ユニット１００は、さらに、リモコン入力部２２０に相当する「ユニット入力部」、リモコン表示部２３０に相当する「ユニット表示部」、リモコン探索部２５０に相当する「ユニット探索部（ユニット無線設定部、ユニット無線レベル計測部、ユニット無線距離計測部）」を備える。
但し、通信ユニット１００にディスプレイを備えるとコスト高になるため、通信ユニット１００はチャンネルおよびＩＤの探索結果や信号レベルおよび延長可能距離をＬＥＤやバイブレータやスピーカにより利用者に通知する。
【０１３４】
図２１は、実施の形態３における無線識別情報の探索例を示す図である。
通信ユニット１００がディスプレイではなくＬＥＤを用いてチャンネルおよびＩＤの探索結果を通知する例について、図２１に基づいて以下に説明する。
【０１３５】
ここで、天井８２２に設置されているエリアコントローラ５００が無線通信に使用している無線識別情報を「チャンネル２」、「ＩＤ１」とする。また、チャンネルは「１」〜「１６」、ＩＤは「１」〜「２」で識別されているものとする。
【０１３６】
（Ａ）チャンネルとＩＤとを同時に探索する（ａ）自動探索方法の場合、利用者が通信ユニット１００の探索スイッチ１０１をＯＮに切り替えた際に、通信ユニット１００は以下のようにしてエリアコントローラ５００のチャンネルおよびＩＤを探索し、探索結果を表示する。
【０１３７】
（１）まず、通信ユニット１００は探索信号を「チャンネル１」および「ＩＤ１」で送信し、赤ＬＥＤ１０５をゆっくり点滅（スローフリッカ）させて探索中であることを標示する。このとき、エリアコントローラ５００は送信された探索信号のチャンネルおよびＩＤが自己のチャンネルおよびＩＤと異なるため探索信号に対して応答しない。所定の時間待って探索信号に対する応答が無い場合（タイムアウトした場合）、通信ユニット１００は（１）の処理を終了する。但し、赤ＬＥＤ１０５は点滅を続ける。
（２）次に、通信ユニット１００はＩＤを切り替えて探索信号を「チャンネル１」および「ＩＤ２」で送信する。この場合も、エリアコントローラ５００からの応答は無く、通信ユニット１００はタイムアウトにより（２）の処理を終了する。
（３）次に、通信ユニット１００はチャンネルおよびＩＤを切り替えて探索信号を「チャンネル２」、「ＩＤ１」で送信する。
（４）このとき、エリアコントローラ５００は送信された探索信号のチャンネルおよびＩＤが自己のチャンネルおよびＩＤと一致するため探索信号に対して応答信号を送信する。通信ユニット１００はエリアコントローラ５００からの応答信号を受信し、探索信号の送信に使用した「チャンネル２」および「ＩＤ１」を無線識別情報として設定する。そして、通信ユニット１００は赤ＬＥＤ１０５を点灯させて探索の終了を標示する。
【０１３８】
いずれのチャンネルおよびＩＤを使用して探索信号を送信してもエリアコントローラ５００から応答信号が得られない場合、通信ユニット１００は赤ＬＥＤ１０５を早く点滅（ファーストフリッカ）させて探索エラーを標示する。
【０１３９】
（Ａ）チャンネルとＩＤとを同時に探索する（ｂ）マニュアル探索方法の場合、利用者が通信ユニット１００の探索スイッチ１０１をＯＮに切り替え、通信ユニット１００は利用者の探索ボタン１０２の操作に応じて以下のようにエリアコントローラ５００のチャンネルおよびＩＤを探索し、探索結果を表示する。
【０１４０】
（１）利用者は探索ボタン１０２を押下する。探索ボタン１０２が押下された際、通信ユニット１００は「チャンネル１」および「ＩＤ１」で探索信号を送信する。このとき、エリアコントローラ５００は送信された探索信号のチャンネルおよびＩＤが自己のチャンネルおよびＩＤと異なるため探索信号に対して応答しない。タイムアウト後、通信ユニット１００は赤ＬＥＤ１０５をファーストフリッカさせて探索エラーを標示する。
（２）次に、利用者は探索ボタン１０２を再度押下する。探索ボタン１０２が再度押下された際、通信ユニット１００はＩＤを「ＩＤ２」に切り替え、「チャンネル１」および「ＩＤ２」で探索信号を送信する。この場合も、エリアコントローラ５００からの応答は無く、リモートコントローラ２００は探索エラーを標示する。
（３）次に、利用者は探索ボタン１０２を再度押下する。探索ボタン１０２が再度押下された際、通信ユニット１００はチャンネルを「チャンネル２」、ＩＤを「ＩＤ１」に切り替え、「チャンネル２」および「ＩＤ２」で探索信号を送信する。
（４）このとき、エリアコントローラ５００は送信された探索信号のチャンネルおよびＩＤが自己のチャンネルおよびＩＤと一致するため探索信号に対して応答信号を送信する。通信ユニット１００はエリアコントローラ５００からの応答信号を受信し、探索信号の送信に使用した「チャンネル２」および「ＩＤ１」を無線識別情報として設定する。そして、通信ユニット１００は赤ＬＥＤ１０５を点灯させて探索の成功を標示する。
【０１４１】
通信ユニット１００は（Ｂ）チャンネルを探索後にＩＤを探索する場合についても同様にＬＥＤを点灯、点滅または消灯させて探索結果を標示する。チャンネルおよびＩＤを探索時の探索信号の送受信は電波で行っても赤外線で行っても構わない。また、複数のチャンネルおよびＩＤが設定された場合には、実施の形態１と同様に、１つずつチャンネルおよびＩＤが切り替えられて探索信号が送信され、当該チャンネルおよびＩＤを使用している照明制御システム８００の各機器の点灯により所望のチャンネルおよびＩＤが特定されてもよい。
【０１４２】
また、通信ユニット１００は実施の形態１におけるリモートコントローラ２００と同様にしてエリアコントローラ５００からの応答信号の信号レベルを計測し、計測した信号レベルをＬＥＤを用いて表示する。例えば、チャンネルおよびＩＤの特定後に探索ボタン１０２が押下された際、通信ユニット１００は赤ＬＥＤ１０５を間欠点滅させ、探索信号を送信し、応答信号の信号レベルを計測する。赤ＬＥＤ１０５の間欠点滅は信号レベルの計測中を意味する。そして、通信ユニット１００は赤ＬＥＤ１０５を信号レベルが「大」の場合に点灯させ、信号レベルが「中」の場合にファーストフリッカさせ、信号レベルが「小」の場合にスローフリッカさせ、応答信号が無い場合又は信号レベルが「極小」の場合に消灯させる。
【０１４３】
また、通信ユニット１００は実施の形態１におけるリモートコントローラ２００と同様にして電波強度または信号レベルに基づいて延長可能距離を算出し、算出した延長可能距離をＬＥＤを用いて表示する。例えば、チャンネルおよびＩＤの特定後に探索ボタン１０２が押下された際、通信ユニット１００は赤ＬＥＤ１０５を間欠点滅させ、探索信号を送信し、応答信号の信号レベルに基づいて延長可能距離を算出する。赤ＬＥＤ１０５の間欠点滅は延長可能距離の計測中を意味する。そして、通信ユニット１００は赤ＬＥＤ１０５を延長可能距離が「大（例えば、５ｍ以上）」の場合に点灯させ、延長可能距離が「中（例えば、１ｍ以上５ｍ未満）」の場合にファーストフリッカさせ、延長可能距離が「小（例えば、５０ｃｍ以上１ｍ未満）」の場合にスローフリッカさせ、応答信号が無い場合又は延長可能距離が「極小（例えば、５０ｃｍ未満）」の場合に消灯させる。
【０１４４】
「チャンネルＩＤ探索機能」、「信号レベル探索機能」および「無線距離探索機能」は探索ボタン１０２の押し方に応じて切り替えるとよい。例えば、通信ユニット１００は探索ボタン１０２の１度押しでチャンネルおよびＩＤを探索し、探索ボタン１０２の２度押しで信号レベルを計測し、探索ボタン１０２の長押し（例えば、２秒以上）で延長可能距離を計測する。
【０１４５】
上記では、標示例として赤ＬＥＤ１０５を点灯、点滅または消灯させる場合の一例を示したが、複数の赤ＬＥＤ１０５を用いて標示してもよいし、他の色のＬＥＤ（例えば、緑ＬＥＤ１０３や黄ＬＥＤ１０４）を用いて標示してもよいし、各色のＬＥＤを組み合わせて標示してもよい。これにより、より分かり易くチャンネルおよびＩＤの探索結果を標示することができ、また、より他段階で信号レベルや延長可能距離を標示することができる。
【０１４６】
図２２は、実施の形態３におけるＬＥＤによる表示例を説明する図である。
図２２に示すように、上記の表示例において、「スローフリッカ」とは「点灯」と「消灯」とを「ファーストフリッカ」より長い間隔で切り替える点滅のことであり、「ファーストフリッカ」とは「点灯」と「消灯」とを「スローフリッカ」より短い間隔で切り替える点滅のことであり、「間欠点滅」とは点滅間隔が１回の点滅の点灯と消灯との間隔より長い点滅のことである。
【０１４７】
通信ユニット１００は、実施の形態１におけるリモートコントローラ２００と同様に、バイブレータによる振動やスピーカからの音出力により信号レベルおよび延長可能距離を表示してもよい。
【０１４８】
図２３、図２４および図２５は、実施の形態３における通信ユニット１００の電源供給ブロック図である。
【０１４９】
図２３は、通信ユニット１００がユニット制御部１１０の制御機能とユニット探索部の探索機能との両機能共に商用電源８２３を電源として実行する場合を示している。この場合、電源供給回路を単純化することができる。
【０１５０】
図２４は、制御機能用の電源を商用電源８２３とし、探索機能用の電源を充電式（例えば、電気二重層コンデンサ１９１）とする場合を示している。この場合、探索機能の実行時に商用電源８２３から電力を得るために電源コンセントに電源コードを接続する必要が無く、通信ユニット１００の可動性を高めることができる。
【０１５１】
また、図２４は、通常の制御機能用の電源を商用電源８２３とし、探索機能用の電源を使い捨て電池（例えば、１次電池１９２）とする場合も示している。この場合、電源コンセントへの接続が不要であり可動性が高まると共に、探索機能用の電源を充電する必要が無い。
【０１５２】
図２３〜図２４において、探索スイッチ回路１０８は図２１に示した探索スイッチ１０１に対応してＯＮ／ＯＦＦを切り替え、制御回路１０６のマイクロコンピュータ（マイコン）は探索機能用の入力端子への入電により探索機能を実行させる。また、ＡＣ／ＤＣコンバータ８２４は商用電源８２３からの１００Ｖ、２００Ｖまたは２５４Ｖの交流電圧を５Ｖ程度の直流電圧に変換する。
【０１５３】
また、図２１に示したように探索スイッチ１０１を設けて探索機能のＯＮ／ＯＦＦを切り替えるのではなく、図２５に示すようにリモートコントローラ２００からの信号を感知する受光装置１０９を探索機能用の入力端子に接続し、リモートコントローラ２００の操作により探索機能のＯＮ／ＯＦＦを切り替えてもよい。この場合も探索機能の電源は商用電源８２３でも充電式でも使い捨て電池でも構わない。
【０１５４】
実施の形態４．
通信ユニット１００と各端末器が有線通信ではなく無線通信する場合、各端末器が実施の形態１におけるリモートコントローラ２００と同様な機能構成を有し、通信ユニット１００の使用しているチャンネルおよびＩＤを探索し、また、通信ユニット１００から届く無線の信号レベルを計測し、通信ユニット１００からの無線が届く距離を計測しても構わない。通信ユニット１００は、実施の形態１におけるエリアコントローラ５００と同様にして、探索信号に対して応答信号を送信したり、選択信号に対して光源を点灯制御したりする。
つまり、照明器具３００、人感センサ４００、照度センサ４１０および壁スイッチ４２０などの端末器は、さらに、リモコン表示部２３０に相当する「端末通信部」、リモコン探索部２５０に相当する「端末探索部（端末無線設定部、端末無線レベル計測部、端末無線距離計測部）」を備える。そして、端末器は、実施の形態３における通信ユニット１００と同様に、探索スイッチ、電源回路、ＬＥＤ、バイブレータおよびスピーカを備えて動作する。
【図面の簡単な説明】
【０１５５】
【図１】実施の形態１における照明制御システム８００の機器構成図。
【図２】実施の形態１における複数の照明制御システム８００の配置例を示す図。
【図３】実施の形態１におけるエリアコントローラ５００、通信ユニット１００およびリモートコントローラ２００の機能構成図。
【図４】実施の形態１における各端末器の機能構成図。
【図５】実施の形態１における無線識別情報の探索例Ａを示す図。
【図６】実施の形態１における無線識別情報の探索例Ｂを示す図。
【図７】実施の形態１におけるリモートコントローラ２００の自動探索処理を示すフローチャート。
【図８】実施の形態１におけるリモートコントローラ２００のマニュアル探索処理を示すフローチャート。
【図９】実施の形態１におけるリモートコントローラ２００の自動探索処理を示すフローチャート。
【図１０】実施の形態１におけるリモートコントローラ２００のマニュアル探索処理を示すフローチャート。
【図１１】実施の形態１におけるエリアコントローラ５００の応答処理を示すフローチャート。
【図１２】実施の形態１における複数の照明制御システム８００とリモートコントローラ２００に設定された無線識別情報との関係を示す図。
【図１３】実施の形態１における複数の照明制御システム８００とリモートコントローラ２００に設定された無線識別情報との関係を示す図。
【図１４】実施の形態１における複数の照明制御システム８００とリモートコントローラ２００に設定された無線識別情報との関係を示す図。
【図１５】実施の形態１における複数の照明制御システム８００とリモートコントローラ２００に設定された無線識別情報との関係を示す図。
【図１６】実施の形態１における複数の照明制御システム８００とリモートコントローラ２００に設定された無線識別情報との関係を示す図。
【図１７】実施の形態１における信号レベル探索方法および無線距離探索方法を示す図。
【図１８】実施の形態１における信号レベル探索方法および無線距離探索方法を示す図。
【図１９】実施の形態１における信号レベル画面８３２を示す図。
【図２０】実施の形態２におけるチャンネルＩＤ探索方法、信号レベル探索方法および無線距離探索方法を示す図。
【図２１】実施の形態３における無線識別情報の探索例を示す図。
【図２２】実施の形態３におけるＬＥＤにより標示例を説明する図。
【図２３】実施の形態３における通信ユニット１００の電源供給ブロック図。
【図２４】実施の形態３における通信ユニット１００の電源供給ブロック図。
【図２５】実施の形態３における通信ユニット１００の電源供給ブロック図。
【符号の説明】
【０１５６】
１００，１００ａ，１００ｂ，１００ｃ，１００ｄ，１００ｅ  通信ユニット、１０１  探索スイッチ、１０２  探索ボタン、１０３  緑ＬＥＤ、１０４  黄ＬＥＤ、１０５  赤ＬＥＤ、１０６  制御回路、１０７  電源スイッチ回路、１０８  探索スイッチ回路、１０９  受光装置、１１０  ユニット制御部、１２０  ユニット有線通信部、１３０  ユニット無線通信部、１９０  ユニット記憶部、１９１  電気二重層コンデンサ、１９２  １次電池、２００  リモートコントローラ、２０１  探索ボタン、２０２  受信ボタン、２０３  切替ボタン、２０３ａ  ＵＰボタン、２０３ｂ  ＤＯＷＮボタン、２０４  送信ボタン、２０５  決定ボタン、２１０  リモコン通信部、２２０  リモコン入力部、２３０  リモコン表示部、２４０  リモコン設定部、２５０  リモコン探索部、２５１  リモコン無線設定部、２５２  リモコン無線レベル計測部、２５３  リモコン無線距離計測部、２９０  リモコン記憶部、３００，３００ａ〜３００ｘ，３００Ａ，３００Ｂ，３００Ｃ，３００Ｄ  照明器具、３１０  点灯装置、３１１  点灯制御部、３１２  点灯装置制御部、３１３  点灯装置通信部、３１９  点灯装置記憶部、４００  人感センサ、４０１  人感センサ制御部、４０２  人感センサ通信部、４０３  人感センサ表示部、４０９  人感センサ記憶部、４１０  照度センサ、４１１  照度センサ制御部、４１２  照度センサ通信部、４１９  照度センサ記憶部、４２０  壁スイッチ、４２１  スイッチ入力部、４２２  スイッチ設定部、４２３  スイッチ通信部、４２４  スイッチ表示部、４２９  スイッチ記憶部、５００，５００ａ，５００ｂ，５００ｃ  エリアコントローラ、５１０  コントローラ制御部、５２０  コントローラ通信部、５９０  コントローラ記憶部、６００  パソコン、６０１  シリアル通信ケーブル、６１０  アンテナアダプタ、６１１  アンテナ、６１２  ＲＦ回路、６１３  データ解析部、６１４  シリアル変換回路、６１５  ＲＦ回路、６１６  アンテナ、８００  照明制御システム、８０１  照明制御システムＡ、８０２  照明制御システムＢ、８０３  照明制御システムＣ、８１０  照明制御ユニット、８１１  照明制御ユニットａ、８１２  照明制御ユニットｂ、８１３  照明制御ユニットｃ、８１４  照明制御ユニットｄ、８１５  照明制御ユニットｅ、８２１  通信線、８２２  天井、８２３  商用電源、８２４  ＡＣ／ＤＣコンバータ、８３１  探索画面、８３２  信号レベル画面。
【図１】
0004869193.tif 000002
【図２】
0004869193.tif 000003
【図３】
0004869193.tif 000004
【図４】
0004869193.tif 000005
【図５】
0004869193.tif 000006
【図６】
0004869193.tif 000007
【図７】
0004869193.tif 000008
【図８】
0004869193.tif 000009
【図９】
0004869193.tif 000010
【図１０】
0004869193.tif 000011
【図１１】
0004869193.tif 000012
【図１２】
0004869193.tif 000013
【図１３】
0004869193.tif 000014
【図１４】
0004869193.tif 000015
【図１５】
0004869193.tif 000016
【図１６】
0004869193.tif 000017
【図１７】
0004869193.tif 000018
【図１８】
0004869193.tif 000019
【図１９】
0004869193.tif 000020
【図２０】
0004869193.tif 000021
【図２１】
0004869193.tif 000022
【図２２】
0004869193.tif 000023
【図２３】
0004869193.tif 000024
【図２４】
0004869193.tif 000025
【図２５】
0004869193.tif 000026